(57)【要約】【課題】  赤外光による悪影響を軽減することができる照度センサを提供する。【解決手段】  第１の１／４波長板３２の遅相軸は第１の直線偏光板３１の偏光方向に対して＋４５°または−４５°の関係を有し、第２の１／４波長板３３の第１部分３３１（第１の受光部１１に対応する領域）の遅相軸の第２の直線偏光板３４の偏光方向に対する関係は、第１の１／４波長板３２の遅相軸の第１の直線偏光板３１の偏光方向に対する関係と同じ＋４５°または−４５°であり、第２の１／４波長板３３の第２部分３３２（第２の受光部１２に対応する領域）の遅相軸の第２の直線偏光板３４の偏光方向に対する関係は、第１の１／４波長板３２の遅相軸の第１の直線偏光板３１の偏光方向に対する関係とは正負が逆の、−４５°または＋４５°であり、第１の受光部１１の出力と第２の受光部１２の出力の差分をとる差分検出部６０を有する。【選択図】  図１
2020187108.tif 000002
【特許請求の範囲】
【請求項１】
第１の受光部および第２の受光部と、
上記第１の受光部および上記第２の受光部にそれぞれ対応して配置された第１光学領域および第２光学領域と、
上記第１の受光部と上記第２の受光部の出力の差分をとる差分検出部と、を備え、
上記第１光学領域および上記第２光学領域は、上記第１の受光部および上記第２の受光部の双方に対応し、これら上記第１の受光部および上記第２の受光部から遠い順に配置された第１の直線偏光板、第１の１／４波長板、第２の１／４波長板、および第２の直線偏光板を含み、
上記第１および第２の直線偏光板のいずれか一方または双方の非有効機能帯域は赤外光帯域の少なくとも一部帯域を含んでおり、
上記第１の１／４波長板の遅相軸は、上記第１の直線偏光板の偏光方向である第１偏光方向に対して＋４５°または−４５°の関係を有しており、
上記第２の１／４波長板は、上記第１光学領域に属する第１部分と、上記第２光学領域に属する第２部分と、を有し、
上記第１部分の遅相軸は、上記第２の直線偏光板の偏光方向である第２偏光方向に対して、上記第１の１／４波長板の遅相軸の上記第１偏光方向に対する関係と同じ＋４５°または−４５°の関係を有しており、
上記第２部分の遅相軸の上記第２偏光方向に対する関係は、上記第１の１／４波長板の遅相軸の上記第１偏光方向に対する関係とは正負が逆の、−４５°または＋４５°である、照度センサ。
【請求項２】
第１の受光部および第２の受光部と、
上記第１の受光部および上記第２の受光部にそれぞれ対応して配置された第１光学領域および第２光学領域と、
上記第１の受光部と上記第２の受光部の出力の差分をとる差分検出部と、を備え、
上記第１光学領域および上記第２光学領域は、上記第１の受光部および上記第２の受光部の双方に対応し、これら上記第１の受光部および上記第２の受光部から遠い順に配置された第１の直線偏光板、第１の１／４波長板、第２の１／４波長板、および第２の直線偏光板を含み、
上記第１および第２の直線偏光板のいずれか一方または双方の非有効機能帯域は赤外光帯域の少なくとも一部帯域を含んでおり、
上記第１の１／４波長板は、上記第１光学領域に属する第１部分と、上記第２光学領域に属する第２部分と、を有し、
上記第１部分の遅相軸は上記第１の直線偏光板の偏光方向である第１偏光方向に対して＋４５°または−４５°の関係を有しており、
上記第２部分の遅相軸の上記第１偏光方向に対する関係は、上記第１部分の遅相軸の上記第１偏光方向に対する関係とは正負が逆の、−４５°または＋４５°であり、
上記第２の１／４波長板の遅相軸は、上記第２の直線偏光板の偏光方向である第２偏光方向に対して、上記第１部分の遅相軸の上記第１偏光方向に対する関係と同じ＋４５°または−４５°の関係を有する、照度センサ。
【請求項３】
上記第１の受光部および上記第２の受光部は、同一のＩＣに作り込まれている、請求項１または２に記載の照度センサ。
【請求項４】
上記第１の受光部および上記第２の受光部と上記第２の直線偏光板との間に介在するカラーフィルタ層を備える、請求項１ないし３のいずれかに記載の照度センサ。
【請求項５】
上記カラーフィルタ層は、上記第１の受光部に対応する第１フィルタ部、および上記第２の受光部に対応する第２フィルタ部を含み、
上記第１の受光部および上記第２の受光部は、それぞれ複数の受光素子を有し、
上記複数の受光素子は、第１の受光素子、第２の受光素子、および第３の受光素子を含み、
上記第１フィルタ部および上記第２フィルタ部は、上記第１の受光素子を覆い、青色光および緑色光を選択的に減衰させる第１赤色フィルタおよび第２赤色フィルタと、上記第２の受光素子を覆い、赤色光および青色光を選択的に減衰させる第１緑色フィルタおよび第２緑色フィルタと、上記第３の受光素子を覆い、赤色光および緑色光を選択的に減衰させる第１青色フィルタおよび第２青色フィルタと、を含む、請求項４に記載の照度センサ。
【請求項６】
上記第１光学領域および上記第２光学領域、上記カラーフィルタ層の上記第１フィルタ部および上記第２フィルタ部、ならびに上記第１の受光部および上記第２の受光部は、それぞれ、互いに直交する第１方向および第２方向において交互にマトリクス状に配置されており、
互いに隣接する上記第１フィルタ部および上記第２フィルタ部において、上記第１赤色フィルタ、上記第１緑色フィルタおよび上記第１青色フィルタと、上記第２赤色フィルタ、上記第２緑色フィルタおよび上記第２青色フィルタとは、それぞれ上記第１方向および上記第２方向の少なくともいずれか一方において隣り合うように配置される、請求項５に記載の照度センサ。
【請求項７】
複数ずつの上記第１フィルタ部および上記第２フィルタ部がマトリクス状に配置されたフィルタ配置領域において、すべての上記第１赤色フィルタおよび上記第２赤色フィルタ、すべての上記第１緑色フィルタおよび上記第２緑色フィルタ、ならびにすべての上記第１青色フィルタおよび上記第２青色フィルタは、それぞれ、上記フィルタ配置領域の中心点を対称の中心として点対称となるように配置されている、請求項６に記載の照度センサ。
【請求項８】
上記第１の受光部および上記第２の受光部は、それぞれ複数の受光素子を有し、
上記複数の受光素子は、可視光帯域に感度ピークを有する可視光用受光素子と、赤外光帯域に感度ピークを有する赤外光用受光素子と、を含む、請求項１ないし３のいずれかに記載の照度センサ。
【請求項９】
上記第１光学領域および上記第２光学領域、ならびに上記第１の受光部および上記第２の受光部は、それぞれ、互いに直交する第１方向および第２方向において交互にマトリクス状に配置されており、
互いに隣接する上記第１の受光部および上記第２の受光部において、上記第１の受光部に属する上記可視光用受光素子および上記赤外光用受光素子と、上記第２の受光部に属する上記可視光用受光素子および上記赤外光用受光素子とは、それぞれ上記第１方向および上記第２方向の少なくともいずれか一方において隣り合うように配置される、請求項８に記載の照度センサ。
【請求項１０】
すべての上記可視光用受光素子およびすべての上記赤外光用受光素子は、それぞれ、複数ずつの上記第１の受光部および上記第２の受光部がマトリクス状に配置された受光部配置領域の中心点を対称の中心として点対称となるように配置されている、請求項９に記載の照度センサ。
【請求項１１】
請求項１ないし１０のいずれかに記載の照度センサを有する電子機器。
【請求項１２】
請求項１ないし５、８のいずれかに記載の照度センサを同一面内に複数配置した、二次元画像センサ。
【請求項１３】
上記照度センサが複数行複数列に配置されている、請求項１２に記載の二次元画像センサ。
【請求項１４】
請求項１ないし１０のいずれかに記載の照度センサと、上記第１の１／４波長板および上記第２の１／４波長板の間に配置され、表示面が上記第１の１／４波長板側を向くＯＬＥＤと、を含み、
上記第１の受光部および上記第２の受光部は、上記ＯＬＥＤの裏面側に上記ＯＬＥＤと平行な面内に配置されている、電子機器。
【発明の詳細な説明】
【技術分野】
【０００１】
本開示は、照度センサおよびこれを備えた電子機器、並びに二次元画像センサに関する。
【背景技術】
【０００２】
例えば特許文献１に示されているように、ディスプレイ装置には、表示の明るさを制御するために、周囲の明るさを検知する照度センサが設けられることがある。
【０００３】
このようなディスプレイ装置においては、照度センサは、表示部とは別に筐体の適部に配置するのが一般であったが、最近では、ＯＬＥＤ（有機発光ダイオード）パネルを用いた薄型ディスプレイ装置が出現しており、この場合、表示部の周囲のいわゆる額縁部分の幅を極めて狭くする傾向があるため、照度センサを表示部とは別の場所に配置することが困難であり、デザイン的にも好ましくない。一方、ディスプレイ装置の表示の明るさを制御するためには、表示部が向く環境の照度を検知することが好ましい。
【０００４】
これらのことは、スマートフォンやタブレット型端末についても同様にいえる。さらには、照度センサは一般に、赤外光によるノイズが発生しやすいといわれており、このことは、屋外においても使用する例えばスマートフォンやタブレット型端末において周囲環境の明るさを検知する場合の障害となる。
【先行技術文献】
【特許文献】
【０００５】
【特許文献１】特開２０１２−１０４６５６号公報
【発明の概要】
【発明が解決しようとする課題】
【０００６】
本開示は、上記した事情のもとで考え出されたものであって、狭所に配置可能であり、かつ赤外光による悪影響を軽減することができる照度センサおよびこれを用いた電子機器、並びに二次元画像センサを提供することをその課題とする。
【課題を解決するための手段】
【０００７】
本開示によって提供される照度センサは、第１の受光部および第２の受光部と、上記第１の受光部および上記第２の受光部にそれぞれ対応して配置された第１光学領域および第２光学領域と、上記第１の受光部と上記第２の受光部の出力の差分をとる差分検出部と、を備え、上記第１光学領域および上記第２光学領域は、上記第１の受光部および上記第２の受光部の双方に対応し、これら上記第１の受光部および上記第２の受光部から遠い順に配置された第１の直線偏光板、第１の１／４波長板、第２の１／４波長板、および第２の直線偏光板を含み、上記第１および第２の直線偏光板のいずれか一方または双方の非有効機能帯域は赤外光帯域の少なくとも一部帯域を含んでおり、上記第１の１／４波長板の遅相軸は、上記第１の直線偏光板の偏光方向である第１偏光方向に対して＋４５°または−４５°の関係を有しており、上記第２の１／４波長板は、上記第１光学領域に属する第１部分と、上記第２光学領域に属する第２部分と、を有し、上記第１部分の遅相軸は、上記第２の直線偏光板の偏光方向である第２偏光方向に対して、上記第１の１／４波長板の遅相軸の上記第１偏光方向に対する関係と同じ＋４５°または−４５°の関係を有しており、上記第２部分の遅相軸の上記第２偏光方向に対する関係は、上記第１の１／４波長板の遅相軸の上記第１偏光方向に対する関係とは正負が逆の、−４５°または＋４５°であることを特徴とする。
【０００８】
本開示のその他の特徴および利点は、添付図面を参照して以下に行う詳細な説明によって、より明らかとなろう。
【図面の簡単な説明】
【０００９】
【図１】本開示に係る照度センサの第１実施形態の概略構成図である。
【図２】図１に示した照度センサの変形例の概略構成図である。
【図３】本開示に係る照度センサの第２実施形態の概略構成図である。
【図４】図２に示した照度センサの変形例の概略構成図である。
【図５】本開示に係る照度センサの第３実施形態の概略構成図である。
【図６】本開示に係る照度センサの第４実施形態の概略構成を示す平面図である。
【図７】図６のＶＩＩ−ＶＩＩ線に沿う断面図である。
【図８】本開示に係る照度センサの第５実施形態の概略構成図である。
【図９】本開示に係る照度センサの第６実施形態の概略構成を示す平面図である。
【図１０】図９のＸ−Ｘ線に沿う断面図である。
【図１１】本開示に係る二次元画像センサの一実施形態の概略構成図である。
【図１２】本開示に係る電子機器の第１実施形態の概略構成図である。
【図１３】本開示に係る電子機器の第２実施形態の概略構成図である。
【発明を実施するための形態】
【００１０】
以下、本開示の好ましい実施の形態につき、図面を参照して具体的に説明する。
【００１１】
＜照度センサＡ１＞
図１は、本開示に係る照度センサの第１実施形態である照度センサＡ１を示す。照度センサＡ１は、第１の受光部１１と、第２の受光部１２と、光学領域３０と、差分検出部６０と、を含む。
【００１２】
第１の受光部１１および第２の受光部１２は、例えば同一のＩＣ１００に造り込まれたフォトダイオードであり、ＩＣ１００の主面である同一の平面内に位置する。光学領域３０は、第１の受光部１１および第２の受光部１２に対向して配置されている。光学領域３０は、第１の受光部１１に対応して配置された第１光学領域３０Ａと、第２の受光部１２に対応して配置された第２光学領域３０Ｂと、を有する。
【００１３】
光学領域３０（第１光学領域３０Ａおよび第２光学領域３０Ｂ）は、第１の直線偏光板３１、第１の１／４波長板３２、第２の１／４波長板３３、および第２の直線偏光板３４を含む。第１の受光部１１および第２の受光部１２から遠い順に、これら第１の直線偏光板３１、第１の１／４波長板３２、第２の１／４波長板３３、および第２の直線偏光板３４が積層配置されている。これら第１の直線偏光板３１、第１の１／４波長板３２、第２の１／４波長板３３、および第２の直線偏光板３４は、互いに密着して積層されていてもよいし、空気層や単純透明層が介在していてもよい。本実施形態では、第１の受光部１１および第２の受光部１２と第２の直線偏光板３４との間に、例えば赤、緑または青のカラーフィルタ層２０を介在させている。
【００１４】
第１の直線偏光板３１および第２の直線偏光板３４は、各々、第１光学領域３０Ａおよび第２光学領域３０Ｂ（第１の受光部１１に対応する領域と第２の受光部１２に対応する領域）にわたって一様に配置される。本実施形態において、第１の直線偏光板３１の偏光方向（第１偏光方向）と第２の直線偏光板３４の偏光方向（第２偏光方向）とは同じであり、図１においては、これを同一の方向に傾くハッチングで示す。また、第１の直線偏光板３１と第２の直線偏光板３４の少なくともいずれか一方は、非有効機能帯域が赤外光帯域の少なくとも一部帯域を含むものを使用する。ここで、非有効機能帯域とは、偏光機能を有効に発揮しない光の波長帯域を意味する。すなわち、第１の直線偏光板３１と第２の直線偏光板３４の少なくともいずれか一方は、例えば、可視光帯域の全部に対して偏光機能を有し、赤外光帯域の全部に対しては偏光せずに透過するという特性を有するものを使用する。このような特性を有する直線偏光板としては、例えば、株式会社美館イメージングが販売する偏光板「ＭＣＰＲ−４」を用いることができる。なお、非有効機能帯域が赤外光帯域の少なくとも一部帯域を含む直線偏光板における偏光機能の有効帯域と非有効機能帯域の境界は、可視光帯域と赤外光帯域との境界と一致している必要はなく、可視光帯域側または赤外光帯域側に偏っていてもよい。このことは、本明細書中の以下の説明において、同様である。
【００１５】
第１の１／４波長板３２は、第１の直線偏光板３１のすぐ下層に位置する。この第１の１／４波長板３２は、第１光学領域３０Ａおよび第２光学領域３０Ｂ（第１の受光部１１に対応する領域と第２の受光部１２に対応する領域）にわたって、その遅相軸が第１の直線偏光板３１の偏光方向（第１偏光方向）に対して＋４５°または−４５°の関係を有する。本実施形態では、第１の１／４波長板３２の遅相軸は上記第１偏光方向に対して＋４５°の関係を有し、図１中に「＋４５°」と表記してこれを示す。
【００１６】
第２の１／４波長板３３は、第１の１／４波長板３２のすぐ下層に位置する。第２の１／４波長板３３は、第１光学領域３０Ａに属する第１部分３３１と、第２光学領域３０Ｂに属する第２部分３３２と、を有する。第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ、＋４５°または−４５°である。本実施形態では、第１の直線偏光板３１の偏光方向（第１偏光方向）と第２の直線偏光板３４の偏光方向（第２偏光方向）とは同じであるので、第１部分３３１の遅相軸は上記第１偏光方向に対しても＋４５°の関係を有し、図１中に「＋４５°」と表記してこれを示す。一方、第２部分３３２の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆である。本実施形態では、第２部分３３２の遅相軸は上記第２偏光方向に対して−４５°の関係を有する。また、本実施形態では、第１の直線偏光板３１の偏光方向（第１偏光方向）と第２の直線偏光板３４の偏光方向（第２偏光方向）とは同じであるので、第２部分３３２の遅相軸は上記第１偏光方向に対しても−４５°の関係を有し、図１中に「−４５°」と表記してこれを示す。
【００１７】
差分検出部６０は、第１の受光部１１の出力と第２の受光部１２の出力との差分をとるものである。差分検出部６０としては、例えばオペアンプなどの差動増幅器を用いることができる。
【００１８】
次に、図１に示す照度センサＡ１の作用について、第１の直線偏光板３１と第２の直線偏光板３４の双方の非有効機能帯域が赤外光帯域を含む場合、第１の直線偏光板３１と第２の直線偏光板３４のうち、第１の直線偏光板３１のみの非有効機能帯域が赤外光帯域を含む場合、第１の直線偏光板３１と第２の直線偏光板３４のうち、第２の直線偏光板３４のみの非有効機能帯域が赤外光帯域を含む場合に分けて説明する。
【００１９】
〔第１の直線偏光板３１と第２の直線偏光板３４の双方の非有効機能帯域が赤外光帯域を含む場合〕
【００２０】
第１の直線偏光板３１および第２の直線偏光板３４は、ともに赤外光に対しては偏光機能を有さないので、第１の受光部１１および第２の受光部１２は、いずれも赤外光を受光することができる。
【００２１】
一方、可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１（＋４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、赤外光のみを受光することになる。
【００２２】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２（−４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と可視光の双方を受光する。
【００２３】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ１は、赤外光によるノイズ等の悪影響を除去もしくは軽減しつつ照度の検出をすることができる。
【００２４】
〔第１の直線偏光板３１と第２の直線偏光板３４のうち、第１の直線偏光板３１のみの非有効機能帯域が赤外光帯域を含む場合〕
【００２５】
赤外光に関して、第１光学領域３０Ａ（第１の受光部１１に対応する領域）においては、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第１の受光部１１に到達する。
【００２６】
赤外光に関して、第２光学領域３０Ｂ（第２の受光部１２に対応する領域）においても、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第２の受光部１２に到達する。
【００２７】
すなわち、赤外光に関しては、第１の受光部１１および第２の受光部１２は、同様に赤外光を受光する。
【００２８】
可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１（＋４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、赤外光のみを受光することになる。
【００２９】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２（−４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と可視光の双方を受光する。
【００３０】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ１は、赤外光によるノイズ等の悪影響を除去もしくは軽減しつつ照度の検出をすることができる。
【００３１】
〔第１の直線偏光板３１と第２の直線偏光板３４のうち、第２の直線偏光板３４のみの非有効機能帯域が赤外光帯域を含む場合〕
【００３２】
赤外光に関して、第１光学領域３０Ａ（第１の受光部１１に対応する領域）においては、当該赤外光は第１の直線偏光板３１において偏光され、この偏光の方向は第１の１／４波長板３２および第２の１／４波長板３３（第１部分３３１）を通過する間に９０°変化させられる。第２の直線偏光板３４は赤外光に対しては偏光機能を有さないから、上記のように９０°方向が変化させられた偏光はそのまま第１の受光部１１に到達する。
【００３３】
赤外光に関して、第２光学領域３０Ｂ（第２の受光部１２に対応する領域）においても、当該赤外光は第１の直線偏光板３１において偏光され、第１の１／４波長板３２および第２の１／４波長板３３（第２部分３３２）を通過した時点で偏光方向が変化せずに第２の直線偏光板３４に到達する。第２の直線偏光板３４は赤外光に対しては偏光機能を有さないから、第１の直線偏光板３１による偏光はそのまま第２の受光部１２に到達する。
【００３４】
すなわち、赤外光に関しては、第１の受光部１１および第２の受光部１２は、方向が９０°異なる偏光として、同様の光量で赤外光を受光する。
【００３５】
可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１（＋４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、赤外光のみを受光することになる。
【００３６】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２（−４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と可視光の双方を受光する。
【００３７】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ１は、赤外光によるノイズ等の悪影響を除去もしくは軽減しつつ照度の検出をすることができる。
【００３８】
＜照度センサＡ２＞
図２は、照度センサＡ１の変形例である照度センサＡ２を示す。照度センサＡ２は、第１の１／４波長板３２と第２の１／４波長板３３の配置構成が図１に示した照度センサＡ１と異なり、その余の構成は図１に示した照度センサＡ１と同様である。すなわち、図１に示した照度センサＡ１においては、第１の１／４波長板３２は第１光学領域３０Ａおよび第２光学領域３０Ｂ（第１の受光部１１に対応する領域と第２の受光部１２に対応する領域）にわたって「＋４５°」のものとし、第２の１／４波長板３３については、第１光学領域３０Ａに属する第１部分３３１を「＋４５°」のものとし、第２光学領域３０Ｂに属する第２部分３３２を「−４５°」のものとした。一方、図２に示す照度センサＡ２においては、第２の１／４波長板３３を、第１光学領域３０Ａおよび第２光学領域３０Ｂにわたって「＋４５°」のものとし、第１の１／４波長板３２について、第１光学領域３０Ａに属する第１部分３２１を「＋４５°」のものとし、第２光学領域３０Ｂに属する第２部分３２２を「−４５°」のものとしている。すなわち、第１の１／４波長板３２の第１部分３２１の遅相軸は第１の直線偏光板３１の偏光方向（第１偏光方向）に対して＋４５°の関係を有し、第１の１／４波長板３２の第２部分３２２の遅相軸の上記第１偏光方向に対する関係は、第１部分３２１とは正負が逆の−４５°である。第２の１／４波長板３３の遅相軸の第２の直線偏光板３４の偏光方向（第２偏光方向）に対する関係は、第１部分３２１の遅相軸の上記第１偏光方向に対する関係と同じ＋４５°である。一方、第２の１／４波長板３３の遅相軸の上記第２偏光方向に対する関係は、第２部分３２２の遅相軸の上記第１偏光方向に対する関係（−４５°）とは正負が逆の＋４５°となる。
【００３９】
次に、図２に示す照度センサＡ２の作用について、第１の直線偏光板３１と第２の直線偏光板３４の双方の非有効機能帯域が赤外光帯域を含む場合、第１の直線偏光板３１と第２の直線偏光板３４のうち、第１の直線偏光板３１のみの非有効機能帯域が赤外光帯域を含む場合、第１の直線偏光板３１と第２の直線偏光板３４のうち、第２の直線偏光板３４のみの非有効機能帯域が赤外光帯域を含む場合に分けて説明する。
【００４０】
〔第１の直線偏光板３１と第２の直線偏光板３４の双方の非有効機能帯域が赤外光帯域を含む場合〕
【００４１】
第１の直線偏光板３１および第２の直線偏光板３４は、ともに赤外光に対しては偏光機能を有さないので、第１の受光部１１および第２の受光部１２は、いずれも赤外光を受光することができる。
【００４２】
一方、可視光に関して、第１光学領域３０Ａ（第１の受光部１１に対応する領域）においては、第１の直線偏光板３１を通過した直線偏光が第１の１／４波長板３２の第１部分３２１（＋４５°）により円偏光となる。上記のように、第２の１／４波長板３３の遅相軸の第２の直線偏光板３４の偏光方向（第２偏光方向）に対する関係は、第１部分３２１の遅相軸の上記第１偏光方向に対する関係と同じ＋４５°である。このため、第１の直線偏光板３１と第１の１／４波長板３２の第１部分３２１とによって形成された円偏光は第２の直線偏光板３４を通過することができない。すなわち、第１の受光部１１は、赤外光のみを受光することになる。
【００４３】
可視光に関して、第２光学領域３０Ｂ（第２の受光部１２に対応する領域）においては、第１の直線偏光板３１を通過した直線偏光が第１の１／４波長板３２の第２部分３２２（−４５°）により円偏光となる。上記のように、第２の１／４波長板３３の遅相軸の上記第２偏光方向に対する関係は、第２部分３２２の遅相軸の上記第１偏光方向に対する関係（−４５°）とは正負が逆の＋４５°である。このため、第１の直線偏光板３１と第１の１／４波長板３２の第２部分３２２とによって形成された円偏光は第２の直線偏光板３４を通過して第２の受光部１２に到達することができる。すなわち、第２の受光部１２は、赤外光と可視光の双方を受光する。
【００４４】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ２は、赤外光によるノイズ等の悪影響を除去もしくは軽減しつつ照度の検出をすることができる。
【００４５】
〔第１の直線偏光板３１と第２の直線偏光板３４のうち、第１の直線偏光板３１のみの非有効機能帯域が赤外光帯域を含む場合〕
【００４６】
赤外光に関して、第１光学領域３０Ａ（第１の受光部１１に対応する領域）においては、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第１の受光部１１に到達する。
【００４７】
赤外光に関して、第２光学領域３０Ｂ（第２の受光部１２に対応する領域）においても、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第２の受光部１２に到達する。
【００４８】
すなわち、赤外光に関しては、第１の受光部１１および第２の受光部１２は、同様に赤外光を受光する。
【００４９】
可視光に関して、第１光学領域３０Ａ（第１の受光部１１に対応する領域）においては、第１の直線偏光板３１を通過した直線偏光が第１の１／４波長板３２の第１部分３２１（＋４５°）により円偏光となる。上記のように、第２の１／４波長板３３の遅相軸の第２の直線偏光板３４の偏光方向（第２偏光方向）に対する関係は、第１部分３２１の遅相軸の上記第１偏光方向に対する関係と同じ＋４５°である。このため、第１の直線偏光板３１と第１の１／４波長板３２の第１部分３２１とによって形成された円偏光は第２の直線偏光板３４を通過することができない。すなわち、第１の受光部１１は、赤外光のみを受光することになる。
【００５０】
可視光に関して、第２光学領域３０Ｂ（第２の受光部１２に対応する領域）においては、第１の直線偏光板３１を通過した直線偏光が第１の１／４波長板３２の第２部分３２２（−４５°）により円偏光となる。上記のように、第２の１／４波長板３３の遅相軸の上記第２偏光方向に対する関係は、第２部分３２２の遅相軸の上記第１偏光方向に対する関係（−４５°）とは正負が逆の＋４５°である。このため、第１の直線偏光板３１と第１の１／４波長板３２の第２部分３２２とによって形成された円偏光は第２の直線偏光板３４を通過して第２の受光部１２に到達することができる。すなわち、第２の受光部１２は、赤外光と可視光の双方を受光する。
【００５１】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ２は、赤外光によるノイズ等の悪影響を除去もしくは軽減しつつ照度の検出をすることができる。
【００５２】
〔第１の直線偏光板３１と第２の直線偏光板３４のうち、第２の直線偏光板３４のみの非有効機能帯域が赤外光帯域を含む場合〕
【００５３】
赤外光に関して、第１光学領域３０Ａ（第１の受光部１１に対応する領域）においては、当該赤外光は第１の直線偏光板３１において偏光され、この偏光の方向は第１の１／４波長板３２（第１部分３２１）および第２の１／４波長板３３を通過する間に９０°変化させられる。第２の直線偏光板３４は赤外光に対しては偏光機能を有さないから、上記のように９０°方向が変化させられた偏光はそのまま第１の受光部１１に到達する。
【００５４】
赤外光に関して、第２光学領域３０Ｂ（第２の受光部１２に対応する領域）においては、当該赤外光は第１の直線偏光板３１において偏光され、第１の１／４波長板３２（第２部分３２２）および第２の１／４波長板３３を通過した時点で偏光方向が変化せずに第２の直線偏光板３４に到達する。第２の直線偏光板３４は赤外光に対しては偏光機能を有さないから、第１の直線偏光板３１による偏光はそのまま第２の受光部１２に到達する。
【００５５】
すなわち、赤外光に関しては、第１の受光部１１および第２の受光部１２は、方向が９０°異なる偏光として、同様の光量で赤外光を受光する。
【００５６】
可視光に関して、第１光学領域３０Ａ（第１の受光部１１に対応する領域）においては、第１の直線偏光板３１を通過した直線偏光が第１の１／４波長板３２の第１部分３２１（＋４５°）により円偏光となる。上記のように、第２の１／４波長板３３の遅相軸の第２の直線偏光板３４の偏光方向（第２偏光方向）に対する関係は、第１部分３２１の遅相軸の上記第１偏光方向に対する関係と同じ＋４５°である。このため、第１の直線偏光板３１と第１の１／４波長板３２の第１部分３２１とによって形成された円偏光は第２の直線偏光板３４を通過することができない。すなわち、第１の受光部１１は、赤外光のみを受光することになる。
【００５７】
可視光に関して、第２光学領域３０Ｂ（第２の受光部１２に対応する領域）においては、第１の直線偏光板３１を通過した直線偏光が第１の１／４波長板３２の第２部分３２２（−４５°）により円偏光となる。上記のように、第２の１／４波長板３３の遅相軸の上記第２偏光方向に対する関係は、第２部分３２２の遅相軸の上記第１偏光方向に対する関係（−４５°）とは正負が逆の＋４５°である。このため、第１の直線偏光板３１と第１の１／４波長板３２の第２部分３２２とによって形成された円偏光は第２の直線偏光板３４を通過して第２の受光部１２に到達することができる。すなわち、第２の受光部１２は、赤外光と可視光の双方を受光する。
【００５８】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ２は、赤外光によるノイズ等の悪影響を除去もしくは軽減しつつ照度の検出をすることができる。
【００５９】
＜照度センサＡ３＞
図３は、本開示に係る照度センサの第２実施形態である照度センサＡ３を示す。照度センサＡ３は、図１に示した照度センサＡ１との比較において、第１の直線偏光板３１と第２の直線偏光板３４の偏光方向の関係、および、第１の１／４波長板３２と第２の１／４波長板３３の配置構成が異なり、その余の構成は図１に示した照度センサＡ１と同様である。すなわち、図３に示した照度センサＡ３においては、第１の直線偏光板３１の偏光方向（第１偏光方向）と第２の直線偏光板３４の偏光方向（第２偏光方向）は、９０°異なる。図３において、これを傾斜方向の異なるハッチングで示す。第１の１／４波長板３２は第１光学領域３０Ａおよび第２光学領域３０Ｂ（第１の受光部１１に対応する領域と第２の受光部１２に対応する領域）にわたって「＋４５°」のものとし、第２の１／４波長板３３については、第１光学領域３０Ａに属する第１部分３３１を「−４５°」のものとし、第２光学領域３０Ｂに属する第２部分３３２を「＋４５°」のものとしている。すなわち、第１の１／４波長板３２の遅相軸は第１の直線偏光板３１の偏光方向（第１偏光方向）に対して＋４５°の関係を有する。第２の１／４波長板３３の第１部分３３１の遅相軸は、上記第１偏光方向に対して−４５°の関係を有する。本実施形態では、第１の直線偏光板３１の偏光方向（第１偏光方向）と第２の直線偏光板３４の偏光方向（第２偏光方向）は９０°異なるので、第２の１／４波長板３３の第１部分３３１の遅相軸は、第２の直線偏光板３４の偏光方向（第２偏光方向）に対して＋４５°の関係を有する。したがって、第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。一方、第２の１／４波長板３３の第２部分３３２の遅相軸は、第１の直線偏光板３１の偏光方向（第１偏光方向）に対して＋４５°の関係を有する。第１の直線偏光板３１の偏光方向（第１偏光方向）と第２の直線偏光板３４の偏光方向（第２偏光方向）は９０°異なるので、第２の１／４波長板３３の第２部分３３２の遅相軸は、第２の直線偏光板３４の偏光方向（第２偏光方向）に対して−４５°の関係を有する。したがって、第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。
【００６０】
次に、図３に示す照度センサＡ３の作用について、第１の直線偏光板３１と第２の直線偏光板３４の双方の非有効機能帯域が赤外光帯域を含む場合、第１の直線偏光板３１と第２の直線偏光板３４のうち、第１の直線偏光板３１のみの非有効機能帯域が赤外光帯域を含む場合、第１の直線偏光板３１と第２の直線偏光板３４のうち、第２の直線偏光板３４のみの非有効機能帯域が赤外光帯域を含む場合に分けて説明する。
【００６１】
〔第１の直線偏光板３１と第２の直線偏光板３４の双方の非有効機能帯域が赤外光帯域を含む場合〕
【００６２】
第１の直線偏光板３１および第２の直線偏光板３４は、ともに赤外光に対しては偏光機能を有さないので、第１の受光部１１および第２の受光部１２は、いずれも赤外光を受光することができる。
【００６３】
一方、可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、赤外光のみを受光することになる。
【００６４】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と可視光の双方を受光する。
【００６５】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ３は、赤外光によるノイズ等の悪影響を除去もしくは軽減しつつ照度の検出をすることができる。
【００６６】
〔第１の直線偏光板３１と第２の直線偏光板３４のうち、第１の直線偏光板３１のみの非有効機能帯域が赤外光帯域を含む場合〕
【００６７】
赤外光に関して、第１光学領域３０Ａ（第１の受光部１１に対応する領域）においては、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第１の受光部１１に到達する。
【００６８】
赤外光に関して、第２光学領域３０Ｂ（第２の受光部１２に対応する領域）においても、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第２の受光部１２に到達する。
【００６９】
すなわち、赤外光に関しては、第１の受光部１１および第２の受光部１２は、同様に赤外光を受光する。
【００７０】
可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、赤外光のみを受光することになる。
【００７１】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と可視光の双方を受光する。
【００７２】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ３は、赤外光によるノイズ等の悪影響を除去もしくは軽減しつつ照度の検出をすることができる。
【００７３】
〔第１の直線偏光板３１と第２の直線偏光板３４のうち、第２の直線偏光板３４のみの非有効機能帯域が赤外光帯域を含む場合〕
【００７４】
赤外光に関して、第１光学領域３０Ａ（第１の受光部１１に対応する領域）においては、当該赤外光は第１の直線偏光板３１において偏光され、第１の１／４波長板３２および第２の１／４波長板３３（第１部分３３１）を通過した時点で偏光方向が変化せずに第２の直線偏光板３４に到達する。第２の直線偏光板３４は赤外光に対しては偏光機能を有さないから、第１の直線偏光板３１による偏光はそのまま第１の受光部１１に到達する。
【００７５】
赤外光に関して、第２光学領域３０Ｂ（第２の受光部１２に対応する領域）においては、当該赤外光は第１の直線偏光板３１において偏光され、この偏光の方向は第１の１／４波長板３２および第２の１／４波長板３３（第２部分３３２）を通過する間に９０°変化させられる。第２の直線偏光板３４は赤外光に対しては偏光機能を有さないから、上記のように９０°方向が変化させられた偏光はそのまま第２の受光部１２に到達する。
【００７６】
すなわち、赤外光に関しては、第１の受光部１１および第２の受光部１２は、方向が９０°異なる偏光として、同様の光量で赤外光を受光する。
【００７７】
可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、赤外光のみを受光することになる。
【００７８】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と可視光の双方を受光する。
【００７９】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ３は、赤外光によるノイズ等の悪影響を除去もしくは軽減しつつ照度の検出をすることができる。
【００８０】
＜照度センサＡ４＞
図４は、照度センサＡ３の変形例である照度センサＡ４を示す。照度センサＡ４は、第１の１／４波長板３２と第２の１／４波長板３３の配置構成が図３に示した照度センサＡ３と異なり、その余の構成は図３に示した照度センサＡ３と同様である。すなわち、図３に示した照度センサＡ３においては、第１の１／４波長板３２は第１光学領域３０Ａおよび第２光学領域３０Ｂ（第１の受光部１１に対応する領域と第２の受光部１２に対応する領域）にわたって「＋４５°」のものとし、第２の１／４波長板３３については、第１光学領域３０Ａに属する第１部分３３１を「−４５°」のものとし、第２光学領域３０Ｂに属する第２部分３３２を「＋４５°」のものとした。一方、図４に示す照度センサＡ４においては、第２の１／４波長板３３を、第１光学領域３０Ａおよび第２光学領域３０Ｂにわたって「＋４５°」のものとし、第１の１／４波長板３２について、第１光学領域３０Ａに属する第１部分３２１を「−４５°」のものとし、第２光学領域３０Ｂに属する第２部分３２２を「＋４５°」のものとしている。すなわち、第１の１／４波長板３２の第１部分３２１の遅相軸は第１の直線偏光板３１の偏光方向（第１偏光方向）に対して−４５°の関係を有し、第１の１／４波長板３２の第２部分３２２の遅相軸の上記第１偏光方向に対する関係は、第１部分３２１とは正負が逆の＋４５°である。第２の１／４波長板３３の遅相軸は、上記第１偏光方向に対して＋４５°の関係を有する。本実施形態では、図３に示した照度センサＡ３と同様に、第１の直線偏光板３１の偏光方向（第１偏光方向）と第２の直線偏光板３４の偏光方向（第２偏光方向）は９０°異なるので、第２の１／４波長板３３の遅相軸は、第２の直線偏光板３４の偏光方向（第２偏光方向）に対して−４５°の関係を有する。したがって、第２の１／４波長板３３の遅相軸の第２の直線偏光板３４の偏光方向（第２偏光方向）に対する関係は、第１の１／４波長板３２の第１部分３２１の遅相軸の第１の直線偏光板３１の偏光方向（第１偏光方向）に対する関係と同じ−４５°である。一方、第２の１／４波長板３３の遅相軸の上記第２偏光方向に対する関係は、第１の１／４波長板３２の第２部分３２２の遅相軸の第１の上記第１偏光方向に対する関係（＋４５°）とは正負が逆の−４５°になる。
【００８１】
次に、図４に示す照度センサＡ４の作用について、第１の直線偏光板３１と第２の直線偏光板３４の双方の非有効機能帯域が赤外光帯域を含む場合、第１の直線偏光板３１と第２の直線偏光板３４のうち、第１の直線偏光板３１のみの非有効機能帯域が赤外光帯域を含む場合、第１の直線偏光板３１と第２の直線偏光板３４のうち、第２の直線偏光板３４のみの非有効機能帯域が赤外光帯域を含む場合に分けて説明する。
【００８２】
〔第１の直線偏光板３１と第２の直線偏光板３４の双方の非有効機能帯域が赤外光帯域を含む場合〕
【００８３】
第１の直線偏光板３１および第２の直線偏光板３４は、ともに赤外光に対しては偏光機能を有さないので、第１の受光部１１および第２の受光部１２は、いずれも赤外光を受光することができる。
【００８４】
一方、可視光に関して、第１光学領域３０Ａ（第１の受光部１１に対応する領域）においては、第１の直線偏光板３１を通過した直線偏光が第１の１／４波長板３２の第１部分３２１（−４５°）により円偏光となる。上記のように、第２の１／４波長板３３の遅相軸の第２の直線偏光板３４の偏光方向（第２偏光方向）に対する関係は、第１部分３２１の遅相軸の上記第１偏光方向に対する関係と同じ−４５°である。このため、第１の直線偏光板３１と第１の１／４波長板３２の第１部分３２１とによって形成された円偏光は第２の直線偏光板３４を通過することができない。すなわち、第１の受光部１１は、赤外光のみを受光することになる。
【００８５】
可視光に関して、第２光学領域３０Ｂ（第２の受光部１２に対応する領域）においては、第１の直線偏光板３１を通過した直線偏光が第１の１／４波長板３２の第２部分３２２（＋４５°）により円偏光となる。上記のように、第２の１／４波長板３３の遅相軸の上記第２偏光方向に対する関係は、第２部分３２２の遅相軸の上記第１偏光方向に対する関係（＋４５°）とは正負が逆の−４５°である。このため、第１の直線偏光板３１と第１の１／４波長板３２の第２部分３２２とによって形成された円偏光は第２の直線偏光板３４を通過して第２の受光部１２に到達することができる。すなわち、第２の受光部１２は、赤外光と可視光の双方を受光する。
【００８６】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ４は、赤外光によるノイズ等の悪影響を除去もしくは軽減しつつ照度の検出をすることができる。
【００８７】
〔第１の直線偏光板３１と第２の直線偏光板３４のうち、第１の直線偏光板３１のみの非有効機能帯域が赤外光帯域を含む場合〕
【００８８】
赤外光に関して、第１光学領域３０Ａ（第１の受光部１１に対応する領域）においては、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第１の受光部１１に到達する。
【００８９】
赤外光に関して、第２光学領域３０Ｂ（第２の受光部１２に対応する領域）においても、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第２の受光部１２に到達する。
【００９０】
すなわち、赤外光に関しては、第１の受光部１１および第２の受光部１２は、同様に赤外光を受光する。
【００９１】
一方、可視光に関して、第１光学領域３０Ａ（第１の受光部１１に対応する領域）においては、第１の直線偏光板３１を通過した直線偏光が第１の１／４波長板３２の第１部分３２１（−４５°）により円偏光となる。上記のように、第２の１／４波長板３３の遅相軸の第２の直線偏光板３４の偏光方向（第２偏光方向）に対する関係は、第１部分３２１の遅相軸の上記第１偏光方向に対する関係と同じ−４５°である。このため、第１の直線偏光板３１と第１の１／４波長板３２の第１部分３２１とによって形成された円偏光は第２の直線偏光板３４を通過することができない。すなわち、第１の受光部１１は、赤外光のみを受光することになる。
【００９２】
可視光に関して、第２光学領域３０Ｂ（第２の受光部１２に対応する領域）においては、第１の直線偏光板３１を通過した直線偏光が第１の１／４波長板３２の第２部分３２２（＋４５°）により円偏光となる。上記のように、第２の１／４波長板３３の遅相軸の上記第２偏光方向に対する関係は、第２部分３２２の遅相軸の上記第１偏光方向に対する関係（＋４５°）とは正負が逆の−４５°である。このため、第１の直線偏光板３１と第１の１／４波長板３２の第２部分３２２とによって形成された円偏光は第２の直線偏光板３４を通過して第２の受光部１２に到達することができる。すなわち、第２の受光部１２は、赤外光と可視光の双方を受光する。
【００９３】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ４は、赤外光によるノイズ等の悪影響を除去もしくは軽減しつつ照度の検出をすることができる。
【００９４】
〔第１の直線偏光板３１と第２の直線偏光板３４のうち、第２の直線偏光板３４のみの非有効機能帯域が赤外光帯域を含む場合〕
【００９５】
赤外光に関して、第１光学領域３０Ａ（第１の受光部１１に対応する領域）においては、当該赤外光は第１の直線偏光板３１において偏光され、第１の１／４波長板３２（第１部分３２１）および第２の１／４波長板３３を通過した時点で偏光方向が変化せずに第２の直線偏光板３４に到達する。第２の直線偏光板３４は赤外光に対しては偏光機能を有さないから、第１の直線偏光板３１による偏光はそのまま第１の受光部１１に到達する。
【００９６】
赤外光に関して、第２光学領域３０Ｂ（第２の受光部１２に対応する領域）においては、当該赤外光は第１の直線偏光板３１において偏光され、この偏光の方向は第１の１／４波長板３２（第２部分３２２）および第２の１／４波長板３３を通過する間に９０°変化させられる。第２の直線偏光板３４は赤外光に対しては偏光機能を有さないから、上記のように９０°方向が変化させられた偏光はそのまま第２の受光部１２に到達する。
【００９７】
すなわち、赤外光に関しては、第１の受光部１１および第２の受光部１２は、方向が９０°異なる偏光として、同様の光量で赤外光を受光する。
【００９８】
一方、可視光に関して、第１光学領域３０Ａ（第１の受光部１１に対応する領域）においては、第１の直線偏光板３１を通過した直線偏光が第１の１／４波長板３２の第１部分３２１（−４５°）により円偏光となる。上記のように、第２の１／４波長板３３の遅相軸の第２の直線偏光板３４の偏光方向（第２偏光方向）に対する関係は、第１部分３２１の遅相軸の上記第１偏光方向に対する関係と同じ−４５°である。このため、第１の直線偏光板３１と第１の１／４波長板３２の第１部分３２１とによって形成された円偏光は第２の直線偏光板３４を通過することができない。すなわち、第１の受光部１１は、赤外光のみを受光することになる。
【００９９】
可視光に関して、第２光学領域３０Ｂ（第２の受光部１２に対応する領域）においては、第１の直線偏光板３１を通過した直線偏光が第１の１／４波長板３２の第２部分３２２（＋４５°）により円偏光となる。上記のように、第２の１／４波長板３３の遅相軸の上記第２偏光方向に対する関係は、第２部分３２２の遅相軸の上記第１偏光方向に対する関係（＋４５°）とは正負が逆の−４５°である。このため、第１の直線偏光板３１と第１の１／４波長板３２の第２部分３２２とによって形成された円偏光は第２の直線偏光板３４を通過して第２の受光部１２に到達することができる。すなわち、第２の受光部１２は、赤外光と可視光の双方を受光する。
【０１００】
差分検出部６０は、第１の受光部１１と第２の受光部１２の出力の差分をとることにより、両受光部１１，１２の受光量における赤外光成分をキャンセルし、可視光による受光量を信号として出力する。したがって、この照度センサＡ４は、赤外光によるノイズ等の悪影響を除去もしくは軽減しつつ照度の検出をすることができる。
【０１０１】
＜照度センサＡ５＞
図５は、本開示に係る照度センサの第３実施形態を示す。同図に示した照度センサＡ５は、主に第１の受光部１１および第２の受光部１２の構成とカラーフィルタ層２０の構成が上記した照度センサＡ１〜Ａ４と異なる。なお、図５においては、光学領域３０（第１光学領域３０Ａおよび第２光学領域３０Ｂ）のうち第２の直線偏光板３４のみを表し、第１の直線偏光板３１、第１の１／４波長板３２および第２の１／４波長板３３を省略している。
【０１０２】
本実施形態の照度センサＡ５において、第１の受光部１１および第２の受光部１２は、それぞれ複数の受光素子を有する。具体的には、第１の受光部１１は、第１の受光素子１１１、第２の受光素子１１２および第３の受光素子１１３を含む。第２の受光部１２は、第１の受光素子１２１、第２の受光素子１２２および第３の受光素子１２３を含む。
【０１０３】
本実施形態において、ＩＣ１００上に保護膜１９が形成されており、保護膜１９上にカラーフィルタ層２０が形成される。カラーフィルタ層２０は、第１の受光部１１に対応して配置された第１フィルタ部２０Ａと、第２の受光部１２に対応して配置された第２フィルタ部２０Ｂと、を有する。第１フィルタ部２０Ａは、第１赤色フィルタ２１ｒ、第１緑色フィルタ２１ｇおよび第１青色フィルタ２１ｂを含み、第２フィルタ部２０Ｂは、第２赤色フィルタ２２ｒ、第２緑色フィルタ２２ｇおよび第２青色フィルタ２２ｂを含む。
【０１０４】
第１赤色フィルタ２１ｒおよび第２赤色フィルタ２２ｒは、可視光帯域の青色光および緑色光の波長域の光を選択的に減衰させ、赤色光および赤外光の波長域の光を選択的に透過させる。第１赤色フィルタ２１ｒは、第１ないし第３の受光素子１１１〜１１３や第１ないし第３の受光素子１２１〜１２３の受光面と直交する方向（以下、方向ｚという）において、第１の受光素子１１１を覆っている。第２赤色フィルタ２２ｒは、方向ｚにおいて第１の受光素子１２１を覆っている。図面中、第１赤色フィルタ２１ｒおよび第２赤色フィルタ２２ｒに「Ｒ」の文字を付している。
【０１０５】
第１緑色フィルタ２１ｇおよび第２緑色フィルタ２２ｇは、赤色光および青色光の波長域の光を選択的に減衰させ、緑色光および赤外光の波長域の光を選択的に透過させる。第１緑色フィルタ２１ｇは、方向ｚにおいて第２の受光素子１１２を覆っている。第２緑色フィルタ２２ｇは、方向ｚにおいて第２の受光素子１２２を覆っている。図面中、第１緑色フィルタ２１ｇおよび第２緑色フィルタ２２ｇに「Ｇ」の文字を付している。
【０１０６】
第１青色フィルタ２１ｂおよび第２青色フィルタ２２ｂは、赤色光および緑色光の波長域の光を選択的に減衰させ、青色光および赤外光の波長域の光を選択的に透過させる。第１青色フィルタ２１ｂは、方向ｚおいて第３の受光素子１１３を覆っている。第２青色フィルタ２２ｂは、方向ｚにおいて第３の受光素子１２３を覆っている。図面中、第１青色フィルタ２１ｂおよび第２青色フィルタ２２ｂに「Ｂ」の文字を付している。
【０１０７】
上記の各色フィルタ２１ｒ，２１ｇ，２１ｂ，２２ｒ，２２ｇ，２２ｂは、例えば、顔料をベースとしたカラーレジストやゼラチン膜等により構成することができる。なお、図５において、各色フィルタ２１ｒ，２１ｇ，２１ｂ，２２ｒ，２２ｇ，２２ｂの厚さをほぼ均一に表したが、各色フィルタの色素によって透過率が異なるため当該各色フィルタの特性に応じてフィルタ２１ｒ，２１ｇ，２１ｂ，２２ｒ，２２ｇ，２２ｂの厚さを適宜異ならせてもよい。
【０１０８】
本実施形態において、カラーフィルタ層２０は保護膜２３を含む。保護膜２３は、第１フィルタ部２０Ａおよび第２フィルタ部２０Ｂにわたって配置されており、第１赤色フィルタ２１ｒ、第１緑色フィルタ２１ｇおよび第１青色フィルタ２１ｂ、ならびに第２フィルタ部２０Ｂは、第２赤色フィルタ２２ｒ、第２緑色フィルタ２２ｇおよび第２青色フィルタ２２ｂの全体を覆っている。保護膜２３は、例えば酸化チタン（ＴｉＯ2）等の透明樹脂により構成される。
【０１０９】
本実施形態の照度センサＡ５は、３つの差分検出部６０を具備する。１つの差分検出部６０は、第１の受光素子１１１と第１の受光素子１２１の出力の差分をとる。他の１つの差分検出部６０は、第２の受光素子１１２と第２の受光素子１２２の出力の差分をとる。さらに他の１つの差分検出部６０は、第３の受光素子１１３と第３の受光素子１２３の出力の差分をとる。
【０１１０】
なお、図５において、光学領域３０（第１光学領域３０Ａおよび第２光学領域３０Ｂ）について第２の直線偏光板３４以外の記載を省略したが、第１光学領域３０Ａおよび第２光学領域３０Ｂ（第１の直線偏光板３１、第１の１／４波長板３２、第２の１／４波長板３３、および第２の直線偏光板３４）の構成については、上記の照度センサＡ１〜Ａ４のいずれの構成を採用してもよい。第１光学領域３０Ａおよび第２光学領域３０Ｂが照度センサＡ１〜Ａ４のいずれの構成であっても、第１の受光部１１（第１の受光素子１１１、第２の受光素子１１２および第３の受光素子１１３）は赤外光のみを受光し、第２の受光部１２（第１の受光素子１２１、第２の受光素子１２２および第３の受光素子１２３）は、赤外光と可視光の双方を受光する。
【０１１１】
差分検出部６０は、第１の受光部１１と第２の受光部１２の差分をとることにより、両受光部１１，１２の受光量における赤外光成分をキャンセルし、可視光による受光量を信号として出力する。また、本実施形態では、第１の受光部１１の第１の受光素子１１１、第２の受光素子１１２および第３の受光素子１１３は、それぞれ第１赤色フィルタ２１ｒ、第１緑色フィルタ２１ｇおよび第１青色フィルタ２１ｂに覆われている。また、第２の受光部１２の第１の受光素子１２１、第２の受光素子１２２および第３の受光素子１２３は、それぞれ第２赤色フィルタ２２ｒ、第２緑色フィルタ２２ｇ、第２青色フィルタ２２ｂに覆われている。これにより、第１の受光部１１および第２の受光部１２は、可視光帯域について、赤、緑および青の各色の波長域に分光して受光することが可能である。したがって、本実施形態の照度センサＡ５によれば、赤外光によるノイズ等の悪影響を除去もしくは軽減しつつ、赤、緑および青の各色の照度の検出をすることができる。
【０１１２】
＜照度センサＡ６＞
図６および図７は、本開示に係る照度センサの第４実施形態を示す。これらの図に示した照度センサＡ６は、複数ずつの第１の受光部１１および第２の受光部１２と、複数ずつの第１フィルタ部２０Ａおよび第２フィルタ部２０Ｂと、複数ずつの第１光学領域３０Ａおよび第２光学領域３０Ｂと、差分検出部６０（図示略）と、を備える。
【０１１３】
詳細な説明は省略するが、本実施形態における各第１の受光部１１、各第２の受光部１２、各第１フィルタ部２０Ａ、各第２フィルタ部２０Ｂ、各第１光学領域３０Ａおよび各第２光学領域３０Ｂは、それぞれ、上記の照度センサＡ５における第１の受光部１１、第２の受光部１２、第１フィルタ部２０Ａ、第２フィルタ部２０Ｂ、第１光学領域３０Ａおよび第２光学領域３０Ｂと同様の構成を有する。すなわち、本実施形態の各第１の受光部１１は、第１の受光素子１１１、第２の受光素子１１２および第３の受光素子１１３を含み、各第２の受光部１２は、第１の受光素子１２１、第２の受光素子１２２および第３の受光素子１２３を含む。また、各第１フィルタ部２０Ａは、第１の受光素子１１１を覆う第１赤色フィルタ２１ｒ、第２の受光素子１１２を覆う第１緑色フィルタ２１ｇ、および第３の受光素子１１３を覆う第１青色フィルタ２１ｂを含む。各第２フィルタ部２０Ｂは、第１の受光素子１２１を覆う第２赤色フィルタ２２ｒ、第２の受光素子１２２を覆う第２緑色フィルタ２２ｇ、および第３の受光素子１２３を覆う第２青色フィルタ２２ｂを含む。
【０１１４】
本実施形態において、図６、図７から理解されるように、第１の受光部１１および第２の受光部１２、カラーフィルタ層２０の第１フィルタ部２０Ａおよび第２フィルタ部２０Ｂ、ならびに第１光学領域３０Ａおよび第２光学領域３０Ｂは、それぞれ、互いに直行する方向ｘ（第１方向）および方向ｙ（第２方向）において交互にマトリクス状に配置されている。図示した例では、８個の第１の受光部１１および８個の第２の受光部１２の合計１６個の第１の受光部１１および第２の受光部１２が、方向ｘおよび方向ｙにおいて４行、４列のマトリクス状に配置されている。方向ｘおよび方向ｙのいずれにおいても、第１の受光部１１と第２の受光部１２とが交互に配列されている。また、８個の第１フィルタ部２０Ａと８個の第２フィルタ部２０Ｂの合計１６個の第１フィルタ部２０Ａおよび第２フィルタ部２０Ｂが、方向ｘおよび方向ｙにおいて４行、４列のマトリクス状に配置されている。方向ｘおよび方向ｙのいずれにおいても、第１フィルタ部２０Ａと第２フィルタ部２０Ｂとが交互に配列されている。同様に、８個の第１光学領域３０Ａと８個の第２光学領域３０Ｂの合計１６個の第１光学領域３０Ａおよび第２光学領域３０Ｂが、方向ｘおよび方向ｙにおいて４行、４列のマトリクス状に配置されている。方向ｘおよび方向ｙのいずれにおいても、第１光学領域３０Ａと第２光学領域３０Ｂとが交互に配列されている。また、図６に示すように、方向ｘおよび方向ｙがなす面内にマトリクス状に配置された１６個の第１フィルタ部２０Ａおよび第２フィルタ部２０Ｂよってフィルタ配置領域２が形成される。
【０１１５】
図６に示すように、本実施形態では、各第１フィルタ部２０Ａおよび各第２フィルタ部２０Ｂは、方向ｘおよび方向ｙに２個ずつ合計４個の部位に区画されている。第１フィルタ部２０Ａにおいて、第１赤色フィルタ２１ｒ、第１緑色フィルタ２１ｇ、第１青色フィルタ２１ｂは、上記４個の区画された部位のいずれかに配置される。同様に、第２フィルタ部２０Ｂにおいて、第２赤色フィルタ２２ｒ、第２緑色フィルタ２２ｇ、第２青色フィルタ２２ｂは、上記４個の区画された部位のいずれかに配置される。
【０１１６】
図６において、第１赤色フィルタ２１ｒおよび第２赤色フィルタ２２ｒの区画に「Ｒ」の文字を、第１緑色フィルタ２１ｇおよび第２緑色フィルタ２２ｇの区画に「Ｇ」の文字を、第１青色フィルタ２１ｂおよび第２青色フィルタ２２ｂの区画に「Ｂ」の文字を、それぞれ付している。また、図面中、無印の区画および「Ｃ」の文字が付された区画には、各色フィルタが配置されていない。図７に示すように、本実施形態では第１の受光部１１および第２の受光部１２はクリア用受光素子１１８，１２８を含み、第１フィルタ部２０Ａおよび第２フィルタ部２０Ｂにおいて「Ｃ」の文字が付された区画は、クリア用受光素子１１８，１２８に対応する位置にある。
【０１１７】
図６に示すように、互いに隣接する第１フィルタ部２０Ａおよび第２フィルタ部２０Ｂにおいて、第１赤色フィルタ２１ｒおよび第２赤色フィルタ２２ｒに着目すると、第１赤色フィルタ２１ｒと第２赤色フィルタ２２ｒとは、方向ｘおよび方向ｙの少なくともいずれか一方において隣り合うように配置される。同様に、互いに隣接する第１フィルタ部２０Ａおよび第２フィルタ部２０Ｂにおいて、第１緑色フィルタ２１ｇおよび第２緑色フィルタ２２ｇに着目すると、第１緑色フィルタ２１ｇと第２緑色フィルタ２２ｇとは、方向ｘおよび方向ｙの少なくともいずれか一方において隣り合うように配置される。同様にまた、互いに隣接する第１フィルタ部２０Ａおよび第２フィルタ部２０Ｂにおいて、第１青色フィルタ２１ｂおよび第２青色フィルタ２２ｂに着目すると、第１青色フィルタ２１ｂと第２青色フィルタ２２ｂとは、方向ｘおよび方向ｙの少なくともいずれか一方において隣り合うように配置される。
【０１１８】
図６に示すように、本実施形態では、複数ずつの第１フィルタ部２０Ａおよび第２フィルタ部２０Ｂがマトリクス状に配置されたフィルタ配置領域２において、すべての第１赤色フィルタ２１ｒおよび第２赤色フィルタ２２ｒは、フィルタ配置領域２の中心点Ｃ２を対称の中心として点対称となるように配置されている。これと同様に、すべての第１緑色フィルタ２１ｇおよび第２緑色フィルタ２２ｇ、ならびにすべての第１青色フィルタ２１ｂおよび第２青色フィルタ２２ｂは、それぞれ、フィルタ配置領域２の中心点Ｃ２を対称の中心として点対称となるように配置されている。
【０１１９】
詳細な図示説明は省略するが、本実施形態において、ある差分検出部６０は、隣り合う第１の受光部１１および第２の受光部１２の第１の受光素子１１１と第１の受光素子１２１との出力の差分をとる。他の差分検出部６０は、隣り合う第１の受光部１１および第２の受光部１２の第２の受光素子１１２と第２の受光素子１２２との出力の差分をとる。これと同様に、他の差分検出部６０は、隣り合う第１の受光部１１および第２の受光部１２の第３の受光素子１１３と第３の受光素子１２３との出力の差分をとる。他の差分検出部６０は、隣り合う第１の受光部１１および第２の受光部１２のクリア用受光素子１１８とクリア用受光素子１２８との出力の差分をとる。このように、差分検出部６０は、隣り合う第１の受光部１１および第２の受光部１２において対応する受光素子の対の出力の差分をとるように設けられる。
【０１２０】
なお、図７において、光学領域３０（第１光学領域３０Ａおよび第２光学領域３０Ｂ）について第２の直線偏光板３４以外の記載を省略したが、第１光学領域３０Ａおよび第２光学領域３０Ｂ（第１の直線偏光板３１、第１の１／４波長板３２、第２の１／４波長板３３、および第２の直線偏光板３４）の構成については、上記の照度センサＡ１〜Ａ４のいずれの構成を採用してもよい。第１光学領域３０Ａおよび第２光学領域３０Ｂが照度センサＡ１〜Ａ４のいずれの構成であっても、第１の受光部１１（第１の受光素子１１１、第２の受光素子１１２、第３の受光素子１１３およびクリア用受光素子１１８）は赤外光のみを受光し、第２の受光部１２（第１の受光素子１２１、第２の受光素子１２２、第３の受光素子１２３、およびクリア用受光素子１２８）は、赤外光と可視光の双方を受光する。
【０１２１】
差分検出部６０は、複数の第１の受光部１１と複数の第２の受光部１２の差分をとることにより、両受光部１１，１２の受光量における赤外光成分をキャンセルし、可視光による受光量を信号として出力する。また、本実施形態では、各第１の受光部１１の第１の受光素子１１１、第２の受光素子１１２および第３の受光素子１１３は、それぞれ第１赤色フィルタ２１ｒ、第１緑色フィルタ２１ｇおよび第１青色フィルタ２１ｂに覆われている。また、各第２の受光部１２の第１の受光素子１２１、第２の受光素子１２２および第３の受光素子１２３は、それぞれ第２赤色フィルタ２２ｒ、第２緑色フィルタ２２ｇ、第２青色フィルタ２２ｂに覆われている。これにより、複数の第１の受光部１１および複数の第２の受光部１２は、可視光帯域について、赤、緑および青の各色の波長域に分光して受光することが可能である。したがって、本実施形態の照度センサＡ６によれば、赤外光によるノイズ等の悪影響を除去もしくは軽減しつつ、赤、緑および青の各色の照度の検出をすることができる。
【０１２２】
さらに、本実施形態では、互いに隣接する第１フィルタ部２０Ａおよび第２フィルタ部２０Ｂにおいて、第１赤色フィルタ２１ｒと第２赤色フィルタ２２ｒ、第１緑色フィルタ２１ｇと第２緑色フィルタ２２ｇ、および第１青色フィルタ２１ｂと第２青色フィルタ２２ｂは、それぞれ、方向ｘおよび方向ｙの少なくともいずれか一方において隣り合うように配置される。このような構成によれば、赤、緑および青の各色成分の照度検出のために出力の差分をとる受光素子の対が隣接するので、各色の照度の検出精度を高めることができる。
【０１２３】
また、複数ずつの第１フィルタ部２０Ａおよび第２フィルタ部２０Ｂがマトリクス状に配置されたフィルタ配置領域２において、すべての第１赤色フィルタ２１ｒおよび第２赤色フィルタ２２ｒ、すべての第１緑色フィルタ２１ｇおよび第２緑色フィルタ２２ｇ、ならびにすべての第１青色フィルタ２１ｂおよび第２青色フィルタ２２ｂは、それぞれ、フィルタ配置領域２の中心点Ｃ２を対称の中心として点対称に配置される。このような構成によれば、照度センサＡ６の照度検出範囲であるフィルタ配置領域２の各所の光量のばらつきの影響を抑制し、赤、緑および青の各色の照度の検出精度を高めることができる。
【０１２４】
＜照度センサＡ７＞
図８は、本開示に係る照度センサの第５実施形態を示す。同図に示した照度センサＡ７は、主に第１の受光部１１および第２の受光部１２の構成と光学領域３０（第１光学領域３０Ａおよび第２光学領域３０Ｂ）の構成が上記した照度センサＡ１〜Ａ４と異なる。なお、図８においては、光学領域３０（第１光学領域３０Ａおよび第２光学領域３０Ｂ）のうち第２の直線偏光板３４のみを表し、第１の直線偏光板３１、第１の１／４波長板３２および第２の１／４波長板３３を省略している。
【０１２５】
上記実施形態の照度センサＡ１〜Ａ４において、第１の直線偏光板３１および第２の直線偏光板３４の少なくともいずれか一方が可視光帯域の全部に対して偏光機能を有し、赤外光帯域の全部に対しては偏光せずに透過するという特性を有する場合について説明した。これに対し、本実施形態では、第１の直線偏光板３１および第２の直線偏光板３４の少なくともいずれか一方が可視光帯域の全部に対して偏光機能を有するとともに、赤外光帯域の一部帯域に対しては偏光機能を有し、かつ赤外光帯域の残りの帯域には偏光せずに透過する特性を有する。この場合、第１の受光部１１と第２の受光部１２の出力の差分をとるだけでは赤外光成分の一部がノイズとして含まれてしまう。
【０１２６】
本実施形態の照度センサＡ７において、第１の受光部１１および第２の受光部１２は、それぞれ複数の受光素子を有する。第１の受光部１１は、可視光帯域に感度ピークを有する可視光用受光素子１１６と、赤外光帯域に感度ピークを有する赤外光用受光素子１１７とを含む。第２の受光部１２は、可視光帯域に感度ピークを有する可視光用受光素子１２６と、赤外光帯域に感度ピークを有する赤外光用受光素子１２７とを含む。なお、本実施形態においては、上記実施形態と異なり、カラーフィルタ層２０を具備しない。
【０１２７】
本実施形態の照度センサＡ７は、２つの差分検出部６０を具備する。１つの差分検出部６０は、可視光用受光素子１１６と可視光用受光素子１２６の出力の差分をとる。他の差分検出部６０は、赤外光用受光素子１１７と赤外光用受光素子１２７の出力の差分をとる。
【０１２８】
なお、図８において、光学領域３０（第１光学領域３０Ａおよび第２光学領域３０Ｂ）について第２の直線偏光板３４以外の記載を省略したが、第１光学領域３０Ａおよび第２光学領域３０Ｂ（第１の直線偏光板３１、第１の１／４波長板３２、第２の１／４波長板３３、および第２の直線偏光板３４）の構成については、上記の照度センサＡ１〜Ａ４のいずれの構成を採用してもよい。第１光学領域３０Ａおよび第２光学領域３０Ｂが照度センサＡ１〜Ａ４のいずれの構成であっても、第１の受光部１１（可視光用受光素子１１６および赤外光用受光素子１１７）は赤外光の一部（非有効機能帯域）のみを受光し、第２の受光部１２（可視光用受光素子１２６および赤外光用受光素子１２７）は、赤外光と可視光の双方を受光する。
【０１２９】
差分検出部６０は、第１の受光部１１と第２の受光部１２（可視光用受光素子１１６と可視光用受光素子１２６、および赤外光用受光素子１１７と赤外光用受光素子１２７）の差分をとることにより、可視光帯域の受光量と赤外光成分の一部帯域の受光量を信号として出力する。したがって、本実施形態の照度センサＡ７によれば、赤外光によるノイズ等の悪影響を除去もしくは軽減しつつ照度の検出をすることができる。
【０１３０】
＜照度センサＡ８＞
図９および図１０は、本開示に係る照度センサの第６実施形態を示す。これらの図に示した照度センサＡ８は、複数ずつの第１の受光部１１および第２の受光部１２と、複数ずつの第１光学領域３０Ａおよび第２光学領域３０Ｂと、差分検出部６０（図示略）と、を備える。
【０１３１】
詳細な説明は省略するが、本実施形態における各第１の受光部１１、各第２の受光部１２、各第１光学領域３０Ａおよび各第２光学領域３０Ｂは、それぞれ、上記の照度センサＡ７における第１の受光部１１、第２の受光部１２、第１光学領域３０Ａおよび第２光学領域３０Ｂと同様の構成を有する。すなわち、本実施形態の各第１の受光部１１は、可視光用受光素子１１６および赤外光用受光素子１１７を含み、各第２の受光部１２は、可視光用受光素子１２６および赤外光用受光素子１２７を含む。
【０１３２】
本実施形態において、図９、図１０から理解されるように、第１の受光部１１および第２の受光部１２、ならびに第１光学領域３０Ａおよび第２光学領域３０Ｂは、それぞれ、互いに直行する方向ｘ（第１方向）および方向ｙ（第２方向）において交互にマトリクス状に配置されている。図示した例では、８個の第１の受光部１１および８個の第２の受光部１２の合計１６個の第１の受光部１１および第２の受光部１２が、方向ｘおよび方向ｙにおいて４行、４列のマトリクス状に配置されている。方向ｘおよび方向ｙのいずれにおいても、第１の受光部１１と第２の受光部１２とが交互に配列されている。同様に、８個の第１光学領域３０Ａと８個の第２光学領域３０Ｂの合計１６個の第１光学領域３０Ａおよび第２光学領域３０Ｂが、方向ｘおよび方向ｙにおいて４行、４列のマトリクス状に配置されている。方向ｘおよび方向ｙのいずれにおいても、第１光学領域３０Ａと第２光学領域３０Ｂとが交互に配列されている。また、図９に示すように、方向ｘおよび方向ｙがなす面内にマトリクス状に配置された１６個の第１の受光部１１および第２の受光部１２よって受光部配置領域１が形成される。
【０１３３】
図９および図１０において、可視光用受光素子１１６および可視光用受光素子１２６に「Ｖ」の文字を、赤外光用受光素子１１７および赤外光用受光素子１２７に「Ｉ」の文字を、それぞれ付している。図９に示すように、互いに隣接する第１の受光部１１および第２の受光部１２において、可視光用受光素子１１６および可視光用受光素子１２６に着目すると、可視光用受光素子１１６と可視光用受光素子１２６とは、方向ｘおよび方向ｙの少なくともいずれか一方において隣り合うように配置される。同様に、互いに隣接する第１の受光部１１および第２の受光部１２において、赤外光用受光素子１１７および赤外光用受光素子１２７に着目すると、赤外光用受光素子１１７と赤外光用受光素子１２７とは、方向ｘおよび方向ｙの少なくともいずれか一方において隣り合うように配置される。
【０１３４】
図９に示すように、本実施形態では、複数ずつの第１の受光部１１および第２の受光部１２がマトリクス状に配置された受光部配置領域１において、すべての可視光用受光素子１１６および可視光用受光素子１２６は、受光部配置領域１の中心点Ｃ１を対称の中心として点対称となるように配置されている。これと同様に、すべての赤外光用受光素子１１７および赤外光用受光素子１２７は、受光部配置領域１の中心点Ｃ１を対称の中心として点対称となるように配置されている。
【０１３５】
詳細な図示説明は省略するが、本実施形態において、ある差分検出部６０は、隣り合う第１の受光部１１および第２の受光部１２の可視光用受光素子１１６と可視光用受光素子１２６との出力の差分をとる。他の差分検出部６０は、隣り合う第１の受光部１１および第２の受光部１２の赤外光用受光素子１１７と赤外光用受光素子１２７との出力の差分をとる。このように、差分検出部６０は、隣り合う第１の受光部１１および第２の受光部１２において対応する受光素子の対の出力の差分をとるように設けられる。
【０１３６】
なお、図１０において、光学領域３０（第１光学領域３０Ａおよび第２光学領域３０Ｂ）について第２の直線偏光板３４以外の記載を省略したが、第１光学領域３０Ａおよび第２光学領域３０Ｂ（第１の直線偏光板３１、第１の１／４波長板３２、第２の１／４波長板３３、および第２の直線偏光板３４）の構成については、上記の照度センサＡ１〜Ａ４のいずれの構成を採用してもよい。第１光学領域３０Ａおよび第２光学領域３０Ｂが照度センサＡ１〜Ａ４のいずれの構成であっても、第１の受光部１１（可視光用受光素子１１６および赤外光用受光素子１１７）は赤外光の一部（非有効機能帯域）のみを受光し、第２の受光部１２（可視光用受光素子１２６および赤外光用受光素子１２７）は、赤外光と可視光の双方を受光する。
【０１３７】
差分検出部６０は、複数の第１の受光部１１と複数の第２の受光部１２の差分をとることにより、可視光帯域の受光量と赤外光成分の一部帯域の受光量を信号として出力する。したがって、本実施形態の照度センサＡ８によれば、赤外光によるノイズ等の悪影響を除去もしくは軽減しつつ照度の検出をすることができる。
【０１３８】
さらに、本実施形態において、互いに隣接する第１の受光部１１および第２の受光部１２において、第１の受光部１１に属する可視光用受光素子１１６と第２の第２の受光部１２に属する可視光用受光素子１２６、および第１の第１の受光部１１に属する赤外光用受光素子１１７と第２の受光部１２に属する赤外光用受光素子１２７は、それぞれ、方向ｘおよび方向ｙの少なくともいずれか一方において隣り合うように配置される。このような構成によれば、照度検出のために出力の差分をとる受光素子の対が隣接するので、照度の検出精度を高めることができる。
【０１３９】
また、複数ずつの第１の受光部１１および第２の受光部１２がマトリクス状に配置された受光部配置領域１において、すべての可視光用受光素子１１６および可視光用受光素子１２６、ならびにすべての赤外光用受光素子１１７および赤外光用受光素子１２７は、それぞれ、受光部配置領域１の中心点Ｃ１を対称の中心として点対称に配置される。このような構成によれば、照度センサＡ８の照度検出範囲である受光部配置領域１の各所の受光量のばらつきの影響を抑制し、照度の検出精度を高めることができる。
【０１４０】
＜二次元画像センサ７０＞
図１１は、照度センサＡ１の構成を利用した二次元画像センサ７０を示す。なお、二次元画像センサ７０に利用される照度センサの構成は、照度センサＡ１〜Ａ４，Ａ５，Ａ７のいずれの構成でもよい。
【０１４１】
この二次元画像センサ７０は、透明な光学窓５０の内部に、図１に示した構成を１単位として、当該単位を複数行複数列に多数配置したものである。この二次元画像センサ７０は、接触型としてよいし、非接触型としてもよい。非接触型とする場合、図示しない光学レンズにより、二次元画像を光学窓５０に投影する。
【０１４２】
各画素単位を構成する照度センサＡ１の作用は、図１を参照して上述したとおりであり、検出される画素情報には、赤外光によるノイズが除去または軽減されたものとなる。
【０１４３】
＜電子機器Ｂ１＞
図１２は、本開示に係る電子機器の第１実施形態である電子機器Ｂ１を示す。電子機器Ｂ１は、ＯＬＥＤ４０と、第１の受光部１１と、第２の受光部１２と、光学領域３０と、差分検出部６０と、を含む。
【０１４４】
第１の受光部１１および第２の受光部１２は、ＯＬＥＤ４０の裏面側に配置され、例えば同一のＩＣ１００に造り込まれたフォトダイオードであり、ＩＣ１００の主面である同一の平面内に位置する。光学領域３０は、第１の受光部１１および第２の受光部１２に対向して配置されている。光学領域３０は、第１の受光部１１に対応して配置された第１光学領域３０Ａと、第２の受光部１２に対応して配置された第２光学領域３０Ｂと、を有する。
【０１４５】
光学領域３０（第１光学領域３０Ａおよび第２光学領域３０Ｂ）は、第１の直線偏光板３１、第１の１／４波長板３２、第２の１／４波長板３３、および第２の直線偏光板３４を含む。本実施形態では、ＯＬＥＤ４０の表面側に第１の１／４波長板３２および第１の直線偏光板３１がこの順に配置されており、ＯＬＥＤ４０の裏面側に第２の１／４波長板３３および第２の直線偏光板３４がこの順に配置されている。
【０１４６】
本実施形態では、電子機器Ｂ１の光学窓５０として、透明窓材の裏面側に第１の直線偏光板３１と第１の１／４波長板３２とを積層して構成している。第１の直線偏光板３１は、第１光学領域３０Ａおよび第２光学領域３０Ｂ（第１の受光部１１に対応する領域と第２の受光部１２に対応する領域）にわたって一様に配置される。第１の１／４波長板３２は、第１光学領域３０Ａおよび第２光学領域３０Ｂ（第１の受光部１１に対応する領域と第２の受光部１２に対応する領域）にわたって、その遅相軸が第１の直線偏光板３１の偏光方向（第１偏光方向）に対して＋４５°または−４５°の関係を有する。本実施形態では、第１の１／４波長板３２の遅相軸は上記第１偏光方向に対して＋４５°の関係を有し、図１２中に「＋４５°」と表記してこれを示す。
【０１４７】
第１の受光部１１および第２の受光部１２は、ＯＬＥＤ４０と平行な同一の平面内に位置する。本実施形態ではまた、第２の１／４波長板３３および第２の直線偏光板３４を、上記のように第１の受光部１１と第２の受光部１２とが作り込まれたＩＣ１００の構成物として当該ＩＣ１００の主面上に一体積層形成している。なお、本実施形態では、第１の受光部１１および第２の受光部１２と第２の直線偏光板３４との間に、例えば赤、緑または青のカラーフィルタ層２０を介在させている。
【０１４８】
第２の直線偏光板３４は、第１光学領域３０Ａおよび第２光学領域３０Ｂ（第１の受光部１１に対応する領域と第２の受光部１２に対応する領域）にわたって一様に配置される。本実施形態において、第１の直線偏光板３１の偏光方向（第１偏光方向）と第２の直線偏光板３４の偏光方向（第２偏光方向）とは同じであり、図１２においては、これを同一の方向に傾くハッチングで示す。また、第１の直線偏光板３１と第２の直線偏光板３４の少なくともいずれか一方は、非有効機能帯域が赤外光帯域の少なくとも一部を含むものを使用する。ここで、非有効機能帯域とは、偏光機能を有効に発揮しない光の波長帯域を意味する。すなわち、第１の直線偏光板３１と第２の直線偏光板３４の少なくともいずれか一方は、例えば、可視光帯域の一部または全部に対して偏光機能を有し、赤外光帯域の全部に対しては偏光せずに透過するという特性を有するものを使用する。このような特性を有する直線偏光板としては、例えば、株式会社美館イメージングが販売する偏光板「ＭＣＰＲ−４」を用いることができる。
【０１４９】
第２の１／４波長板３３は、第１光学領域３０Ａに属する第１部分３３１と、第２光学領域３０Ｂに属する第２部分３３２と、を有する。第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ、＋４５°または−４５°である。本実施形態では、第１の直線偏光板３１の偏光方向（第１偏光方向）と第２の直線偏光板３４の偏光方向（第２偏光方向）とは同じであるので、第１部分３３１の遅相軸は上記第１偏光方向に対しても＋４５°の関係を有し、図１２中に「＋４５°」と表記してこれを示す。一方、第２部分３３２の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆である。本実施形態では、第２部分３３２の遅相軸は上記第２偏光方向に対して−４５°の関係を有する。また、本実施形態では、第１の直線偏光板３１の偏光方向（第１偏光方向）と第２の直線偏光板３４の偏光方向（第２偏光方向）とは同じであるので、第２部分３３２の遅相軸は上記第１偏光方向に対しても−４５°の関係を有し、図１２中に「−４５°」と表記してこれを示す。
【０１５０】
差分検出部６０は、第１の受光部１１の出力と第２の受光部１２の出力との差分をとるものである。差分検出部６０としては、例えばオペアンプなどの差動増幅器を用いることができる。
【０１５１】
なお、上記のような光学窓５０の内部にＯＬＥＤ４０を配置して表示部を構成する電子機器としては、スマートフォンなどの携帯型情報端末、テレビジョンおよびＰＣ用モニタなどが挙げられる。
【０１５２】
次に、図１２に示す電子機器Ｂ１の作用について、第１の直線偏光板３１と第２の直線偏光板３４の双方の非有効機能帯域が赤外光帯域を含む場合、第１の直線偏光板３１と第２の直線偏光板３４のうち、第１の直線偏光板３１のみの非有効機能帯域が赤外光帯域を含む場合、第１の直線偏光板３１と第２の直線偏光板３４のうち、第２の直線偏光板３４のみの非有効機能帯域が赤外光帯域を含む場合に分けて説明する。
【０１５３】
〔第１の直線偏光板３１と第２の直線偏光板３４の双方の非有効機能帯域が赤外光帯域を含む場合〕
【０１５４】
光学窓５０から入射する外光（可視光）のうち、ＯＬＥＤ４０の電極（図示略）での反射光は、第１の直線偏光板３１と第１の１／４波長板３２とにより形成される円偏光がＯＬＥＤ４０の電極（図示略）での反射によって逆旋回の円偏光となって再び第１の１／４波長板３２に裏面から入射する。この逆旋回円偏光が当該第１の１／４波長板３２を裏面側から通過する際、第１の直線偏光板３１の偏光方向に対して９０°異なる偏光となる。そのため、当該偏光は第１の直線偏光板３１を通過できず、光学窓５０から出射することができない。すなわち、光学窓５０から入射する外光（可視光）のうち、ＯＬＥＤ４０の電極で反射する光の光学窓５０の外部への出射は阻止または抑制される。
【０１５５】
ＯＬＥＤ４０において発せられた光の一部は、当該ＯＬＥＤ４０の裏面側から第２の１／４波長板３３へ向かう。このＯＬＥＤ４０の裏面側からの出射光は、第１光学領域３０Ａ（第１の受光部１１に対応する領域）において、第２の１／４波長板３３の第１部分３３１を通過し、第２の直線偏光板３４による偏光を受けて第１の受光部１１に到達する。第２光学領域３０Ｂ（第２の受光部１２に対応する領域）においても、ＯＬＥＤ４０の裏面側からの出射光は、第２の１／４波長板３３の第２部分３３２を通過し、第２の直線偏光板３４による偏光を受けて第２の受光部１２に到達する。
【０１５６】
第１の直線偏光板３１および第２の直線偏光板３４は、ともに赤外光に対しては偏光機能を有さないので、第１の受光部１１および第２の第２の受光部１２は、いずれも赤外光を受光することができる。
【０１５７】
一方、可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１（＋４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、外部からの可視光を受光せず、赤外光とＯＬＥＤ４０からの光とを受光することになる。
【０１５８】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２（−４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と外部からの可視光とＯＬＥＤ４０からの光とを受光する。
【０１５９】
差分検出部６０は、第１の受光部１１と第２の受光部１２の出力の差分をとることにより、両受光部１１，１２の受光量における赤外光成分およびＯＬＥＤ４０からの光の成分をキャンセルし、外部からの可視光による受光量を信号として出力する。したがって、この電子機器Ｂ１は、赤外光やＯＬＥＤ４０からの光によるノイズ等の悪影響を除去もしくは軽減しつつ照度の検出をすることができる。
【０１６０】
〔第１の直線偏光板３１と第２の直線偏光板３４のうち、第１の直線偏光板３１のみの非有効機能帯域が赤外光帯域を含む場合〕
【０１６１】
光学窓５０から入射する外光（可視光）のうち、ＯＬＥＤ４０の電極で反射する光の光学窓５０の外部への出射は阻止または抑制される点は、第１の直線偏光板３１と第２の直線偏光板３４の双方の有効機能帯域が可視光帯域に含まれる場合について上述したのと同様である。
【０１６２】
また、ＯＬＥＤ４０の裏面側からの出射光については、第１光学領域３０Ａ（第１の受光部１１に対応する領域）において、第２の１／４波長板３３（第１部分３３１）を通過し、第２の直線偏光板３４による偏光を受けて第１の受光部１１に到達する。第２光学領域３０Ｂ（第２の受光部１２に対応する領域）においても、ＯＬＥＤ４０の裏面側からの出射光は、第２の１／４波長板３３（第２部分３３２）を通過し、第２の直線偏光板３４による偏光を受けて第２の受光部１２に到達する。
【０１６３】
赤外光に関して、第１光学領域３０Ａ（第１の受光部１１に対応する領域）においては、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第１の受光部１１に到達する。
【０１６４】
赤外光に関して、第２光学領域３０Ｂ（第２の受光部１２に対応する領域）においても、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第２の受光部１２に到達する。
【０１６５】
すなわち、赤外光に関しては、第１の受光部１１および第２の受光部１２は、同様に赤外光を受光する。
【０１６６】
可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１（＋４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、外部からの可視光を受光せず、赤外光とＯＬＥＤ４０からの光とを受光することになる。
【０１６７】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２（−４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と外部からの可視光とＯＬＥＤ４０からの光とを受光する。
【０１６８】
差分検出部６０は、第１の受光部１１と第２の受光部１２の出力の差分をとることにより、両受光部１１，１２の受光量における赤外光成分およびＯＬＥＤ４０からの光の成分をキャンセルし、外部からの可視光による受光量を信号として出力する。したがって、この電子機器Ｂ１は、赤外光やＯＬＥＤ４０からの光によるノイズ等の悪影響を除去もしくは軽減しつつ照度の検出をすることができる。
【０１６９】
〔第１の直線偏光板３１と第２の直線偏光板３４のうち、第２の直線偏光板３４のみの非有効機能帯域が赤外光帯域を含む場合〕
【０１７０】
光学窓５０から入射する外光（可視光）のうち、ＯＬＥＤ４０の電極で反射する光の光学窓５０の外部への出射は阻止または抑制される点は、第１の直線偏光板３１と第２の直線偏光板３４の双方の有効機能帯域が可視光帯域に含まれる場合について上述したのと同様である。
【０１７１】
また、ＯＬＥＤ４０の裏面側からの出射光については、第１光学領域３０Ａ（第１の受光部１１に対応する領域）において、第２の１／４波長板３３（第１部分３３１）を通過し、第２の直線偏光板３４による偏光を受けて第１の受光部１１に到達する。第２光学領域３０Ｂ（第２の受光部１２に対応する領域）においても、ＯＬＥＤ４０の裏面側からの出射光は、第２の１／４波長板３３（第２部分３３２）を通過し、第２の直線偏光板３４による偏光を受けて第２の受光部１２に到達する。
【０１７２】
赤外光に関して、第１光学領域３０Ａ（第１の受光部１１に対応する領域）においては、当該赤外光は第１の直線偏光板３１において偏光され、この偏光の方向は第１の１／４波長板３２および第２の１／４波長板３３（第１部分３３１）を通過する間に９０°変化させられる。第２の直線偏光板３４は赤外光に対しては偏光機能を有さないから、上記のように９０°方向が変化させられた偏光はそのまま第１の受光部１１に到達する。
【０１７３】
赤外光に関して、第２光学領域３０Ｂ（第２の受光部１２に対応する領域）においても、当該赤外光は第１の直線偏光板３１において偏光され、第１の１／４波長板３２および第２の１／４波長板３３（第２部分３３２）を通過した時点で偏光方向が変化せずに第２の直線偏光板３４に到達する。第２の直線偏光板３４は赤外光に対しては偏光機能を有さないから、第１の直線偏光板３１による偏光はそのまま第２の受光部１２に到達する。
【０１７４】
すなわち、赤外光に関しては、第１の受光部１１および第２の受光部１２は、方向が９０°異なる偏光として、同様の光量で赤外光を受光する。
【０１７５】
可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１（＋４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、外部からの可視光を受光せず、赤外光とＯＬＥＤ４０からの光とを受光することになる。
【０１７６】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２（−４５°）の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と外部からの可視光とＯＬＥＤ４０からの光とを受光する。
【０１７７】
差分検出部６０は、第１の受光部１１と第２の受光部１２の出力の差分をとることにより、両受光部１１，１２の受光量における赤外光成分およびＯＬＥＤ４０からの光の成分をキャンセルし、外部からの可視光による受光量を信号として出力する。したがって、この電子機器Ｂ１は、赤外光やＯＬＥＤ４０からの光によるノイズ等の悪影響を除去もしくは軽減しつつ照度の検出をすることができる。
【０１７８】
＜電子機器Ｂ２＞
図１３は、本開示に係る電子機器の第２実施形態である電子機器Ｂ２を示す。電子機器Ｂ２は、図１２に示した電子機器Ｂ１との比較において、第１の直線偏光板３１と第２の直線偏光板３４の偏光方向の関係、および、第１の１／４波長板３２と第２の１／４波長板３３の配置構成が異なり、その余の構成は図１２に示した電子機器Ｂ１と同様である。すなわち、図１３に示した電子機器Ｂ２においては、第１の直線偏光板３１の偏光方向（第１偏光方向）と第２の直線偏光板３４の偏光方向（第２偏光方向）は、９０°異なる。図１３において、これを傾斜方向の異なる方向のハッチングで示す。第１の１／４波長板３２は第１光学領域３０Ａおよび第２光学領域３０Ｂ（第１の受光部１１に対応する領域と第２の受光部１２に対応する領域）にわたって「＋４５°」のものとし、第２の１／４波長板３３については、第１光学領域３０Ａに属する第１部分３３１を「−４５°」のものとし、第２光学領域３０Ｂに属する第２部分３３２を「＋４５°」のものとしている。すなわち、第１の１／４波長板３２の遅相軸は第１の直線偏光板３１の偏光方向（第１偏光方向）に対して＋４５°の関係を有する。第２の１／４波長板３３の第１部分３３１の遅相軸は、上記第１偏光方向に対して−４５°の関係を有する。本実施形態では、第１の直線偏光板３１の偏光方向（第１偏光方向）と第２の直線偏光板３４の偏光方向（第２偏光方向）は９０°異なるので、第２の１／４波長板３３の第１部分３３１の遅相軸は、第２の直線偏光板３４の偏光方向（第２偏光方向）に対して＋４５°の関係を有する。したがって、第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。一方、第２の１／４波長板３３の第２部分３３２の遅相軸は、第１の直線偏光板３１の偏光方向（第１偏光方向）に対して＋４５°の関係を有する。第１の直線偏光板３１の偏光方向（第１偏光方向）と第２の直線偏光板３４の偏光方向（第２偏光方向）は９０°異なるので、第２の１／４波長板３３の第２部分３３２の遅相軸は、第２の直線偏光板３４の偏光方向（第２偏光方向）に対して−４５°の関係を有する。したがって、第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。
【０１７９】
次に、図１３に示す電子機器Ｂ２の作用について、第１の直線偏光板３１と第２の直線偏光板３４の双方の非有効機能帯域が赤外光帯域を含む場合、第１の直線偏光板３１と第２の直線偏光板３４のうち、第１の直線偏光板３１のみの非有効機能帯域が赤外光帯域を含む場合、第１の直線偏光板３１と第２の直線偏光板３４のうち、第２の直線偏光板３４のみの非有効機能帯域が赤外光帯域を含む場合に分けて説明する。
【０１８０】
〔第１の直線偏光板３１と第２の直線偏光板３４の双方の非有効機能帯域が赤外光帯域を含む場合〕
【０１８１】
光学窓５０から入射する外光（可視光）のうち、ＯＬＥＤ４０の電極で反射する光の光学窓５０の外部への出射は阻止または抑制される点は、図１２に示す電子機器Ｂ１について上述したのと同様である。
【０１８２】
また、ＯＬＥＤ４０の裏面側からの出射光については、第１光学領域３０Ａ（第１の受光部１１に対応する領域）において、第２の１／４波長板３３（第１部分３３１）を通過し、第２の直線偏光板３４による偏光を受けて第１の受光部１１に到達する。第２光学領域３０Ｂ（第２の受光部１２に対応する領域）においても、ＯＬＥＤ４０の裏面側からの出射光は、第２の１／４波長板３３（第２部分３３２）を通過し、第２の直線偏光板３４による偏光を受けて第２の受光部１２に到達する。
【０１８３】
第１の直線偏光板３１および第２の直線偏光板３４は、ともに赤外光に対しては偏光機能を有さないので、第１の受光部１１および第２の第２の受光部１２は、いずれも赤外光を受光することができる。
【０１８４】
一方、可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、外部からの可視光を受光せず、赤外光とＯＬＥＤ４０からの光とを受光することになる。
【０１８５】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と外部からの可視光とＯＬＥＤ４０からの光とを受光する。
【０１８６】
差分検出部６０は、第１の受光部１１と第２の受光部１２の出力の差分をとることにより、両受光部１１，１２の受光量における赤外光成分およびＯＬＥＤ４０からの光の成分をキャンセルし、外部からの可視光による受光量を信号として出力する。したがって、この電子機器Ｂ２は、赤外光やＯＬＥＤ４０からの光によるノイズ等の悪影響を除去もしくは軽減しつつ照度の検出をすることができる。
【０１８７】
〔第１の直線偏光板３１と第２の直線偏光板３４のうち、第１の直線偏光板３１のみの非有効機能帯域が赤外光帯域を含む場合〕
【０１８８】
光学窓５０から入射する外光（可視光）のうち、ＯＬＥＤ４０の電極で反射する光の光学窓５０の外部への出射は阻止または抑制される点は、図１２に示す電子機器Ｂ１について上述したのと同様である。
【０１８９】
また、ＯＬＥＤ４０の裏面側からの出射光については、第１光学領域３０Ａ（第１の受光部１１に対応する領域）において、第２の１／４波長板３３（第１部分３３１）を通過し、第２の直線偏光板３４による偏光を受けて第１の受光部１１に到達する。第２光学領域３０Ｂ（第２の受光部１２に対応する領域）においても、ＯＬＥＤ４０の裏面側からの出射光は、第２の１／４波長板３３（第２部分３３２）を通過し、第２の直線偏光板３４による偏光を受けて第２の受光部１２に到達する。
【０１９０】
赤外光に関して、第１光学領域３０Ａ（第１の受光部１１に対応する領域）においては、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第１の受光部１１に到達する。
【０１９１】
赤外光に関して、第２光学領域３０Ｂ（第２の受光部１２に対応する領域）においても、第１の直線偏光板３１は偏光機能を有さないから、当該赤外光は、そのまま第１の直線偏光板３１、第１の１／４波長板３２および第２の１／４波長板３３を通過する。第２の直線偏光板３４に達した赤外光は、第２の直線偏光板３４による偏光を受けて第２の受光部１２に到達する。
【０１９２】
すなわち、赤外光に関しては、第１の受光部１１および第２の受光部１２は、同様に赤外光を受光する。
【０１９３】
可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、外部からの可視光を受光せず、赤外光とＯＬＥＤ４０からの光とを受光することになる。
【０１９４】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と外部からの可視光とＯＬＥＤ４０からの光とを受光する。
【０１９５】
差分検出部６０は、第１の受光部１１と第２の受光部１２の出力の差分をとることにより、両受光部１１，１２の受光量における赤外光成分およびＯＬＥＤ４０からの光の成分をキャンセルし、外部からの可視光による受光量を信号として出力する。したがって、この電子機器Ｂ２は、赤外光やＯＬＥＤ４０からの光によるノイズ等の悪影響を除去もしくは軽減しつつ照度の検出をすることができる。
【０１９６】
〔第１の直線偏光板３１と第２の直線偏光板３４のうち、第２の直線偏光板３４のみの非有効機能帯域が赤外光帯域を含む場合〕
【０１９７】
光学窓５０から入射する外光（可視光）のうち、ＯＬＥＤ４０の電極で反射する光の光学窓５０の外部への出射は阻止または抑制される点は、図１２に示す電子機器Ｂ１について上述したのと同様である。
【０１９８】
また、ＯＬＥＤ４０の裏面側からの出射光については、第１光学領域３０Ａ（第１の受光部１１に対応する領域）において、第２の１／４波長板３３（第１部分３３１）を通過し、第２の直線偏光板３４による偏光を受けて第１の受光部１１に到達する。第２光学領域３０Ｂ（第２の受光部１２に対応する領域）においても、ＯＬＥＤ４０の裏面側からの出射光は、第２の１／４波長板３３（第２部分３３２）を通過し、第２の直線偏光板３４による偏光を受けて第２の受光部１２に到達する。
【０１９９】
赤外光に関して、第１光学領域３０Ａ（第１の受光部１１に対応する領域）においては、当該赤外光は第１の直線偏光板３１において偏光され、第１の１／４波長板３２および第２の１／４波長板３３（第１部分３３１）を通過した時点で偏光方向が変化せずに第２の直線偏光板３４に到達する。第２の直線偏光板３４は赤外光に対しては偏光機能を有さないから、第１の直線偏光板３１による偏光はそのまま第１の受光部１１に到達する。
【０２００】
赤外光に関して、第２光学領域３０Ｂ（第２の受光部１２に対応する領域）においては、当該赤外光は第１の直線偏光板３１において偏光され、この偏光の方向は第１の１／４波長板３２および第２の１／４波長板３３（第２部分３３２）を通過する間に９０°変化させられる。第２の直線偏光板３４は赤外光に対しては偏光機能を有さないから、上記のように９０°方向が変化させられた偏光はそのまま第２の受光部１２に到達する。
【０２０１】
すなわち、赤外光に関しては、第１の受光部１１および第２の受光部１２は、方向が９０°異なる偏光として、同様の光量で赤外光を受光する。
【０２０２】
可視光に関して、第１光学領域３０Ａ（第１の受光部１１に対応する領域）においては、第１の直線偏光板３１を通過した直線偏光が第１の１／４波長板３２（＋４５°）により円偏光となる。上記のように、第２の１／４波長板３３の第１部分３３１の遅相軸の第２の直線偏光板３４の偏光方向（第２偏光方向）に対する関係は、第１の１／４波長板３２の遅相軸の第１の直線偏光板３１の偏光方向（第１偏光方向）に対する関係と同じ＋４５°である。このため、第１の直線偏光板３１と第１の１／４波長板３２とによって形成された円偏光は第２の直線偏光板３４を通過することができない。すなわち、第１の受光部１１は、外部からの可視光を受光せず、赤外光とＯＬＥＤ４０からの光とを受光することになる。
【０２０３】
可視光に関して、第２光学領域３０Ｂ（第２の受光部１２に対応する領域）においては、第１の直線偏光板３１を通過した直線偏光が第１の１／４波長板３２（＋４５°）により円偏光となる。上記のように、第２の１／４波長板３３の第２部分３３２の遅相軸の第２の直線偏光板３４の偏光方向（第２偏光方向）に対する関係は、第１の１／４波長板３２の遅相軸の第１の直線偏光板３１の偏光方向（第１偏光方向）に対する関係とは正負が逆の−４５°である。このため、第１の直線偏光板３１と第１の１／４波長板３２とによって形成された円偏光は第２の直線偏光板３４を通過して第２の受光部１２に到達することができる。すなわち、第２の受光部１２は、赤外光と外部からの可視光とＯＬＥＤ４０からの光とを受光する。
【０２０４】
差分検出部６０は、第１の受光部１１と第２の受光部１２の出力の差分をとることにより、両受光部１１，１２の受光量における赤外光成分およびＯＬＥＤ４０からの光の成分をキャンセルし、外部からの可視光による受光量を信号として出力する。したがって、この電子機器Ｂ２は、赤外光やＯＬＥＤ４０からの光によるノイズ等の悪影響を除去もしくは軽減しつつ照度の検出をすることができる。
【０２０５】
なお、上記の電子機器Ｂ１，Ｂ２において、第１の受光部１１、第２の受光部１２、カラーフィルタ層２０、第１光学領域３０Ａおよび第２光学領域３０Ｂの構成については、図５〜図１０を参照して説明した上記の照度センサＡ５〜Ａ８のいずれかと同様の構成を採用してもよい。この場合、照度センサＡ５〜Ａ８に関して上述したのと同様の効果を奏する。
【０２０６】
もちろん、本開示の範囲は上記した実施形態に限定されることはなく、各請求項に記載した事項の範囲内でのあらゆる変更は、すべて本開示の範囲に含まれる。
【０２０７】
例えば、第１の１／４波長板３２および第２の１／４波長板３３に関し、各図中、「＋４５°」として示した機能を有するものを「−４５°」として示した機能を有するものに変更し、「−４５°」として示した機能を有するものを「＋４５°」として示した機能を有するものに変更できることは、もちろんである。
【０２０８】
また、図１、図２および図１２においては第１の直線偏光板３１の偏光方向（第１偏光方向）と第２の直線偏光板３４の偏光方向（第２偏光方向）とが同じである場合を例示し、図３、図４および図１３においては第１の直線偏光板３１の偏光方向（第１偏光方向）と第２の直線偏光板３４の偏光方向（第２偏光方向）とが９０°異なる場合を例示したが、第１の直線偏光板３１の上記第１偏光方向と第２の直線偏光板３４の上記第２偏光方向との関係はこれらに限定されない。すなわち、第１の１／４波長板３２の遅相軸の上記第１偏光方向に対する関係および第２の１／４波長板３３の遅相軸の上記第２偏光方向に対する関係が、上述の所定の関係にあればよく、第１の直線偏光板３１の上記第１偏光方向と第２の直線偏光板３４の上記第２偏光方向の位相差がどのような場合でも適用することができる。
【０２０９】
本開示は、以下の付記に関する構成を含む。
【０２１０】
［付記１］
第１の受光部および第２の受光部と、
上記第１の受光部および上記第２の受光部にそれぞれ対応して配置された第１光学領域および第２光学領域と、
上記第１の受光部と上記第２の受光部の出力の差分をとる差分検出部と、を備え、
上記第１光学領域および上記第２光学領域は、上記第１の受光部および上記第２の受光部の双方に対応し、これら上記第１の受光部および上記第２の受光部から遠い順に配置された第１の直線偏光板、第１の１／４波長板、第２の１／４波長板、および第２の直線偏光板を含み、
上記第１および第２の直線偏光板のいずれか一方または双方の非有効機能帯域は赤外光帯域の少なくとも一部帯域を含んでおり、
上記第１の１／４波長板の遅相軸は、上記第１の直線偏光板の偏光方向である第１偏光方向に対して＋４５°または−４５°の関係を有しており、
上記第２の１／４波長板は、上記第１光学領域に属する第１部分と、上記第２光学領域に属する第２部分と、を有し、
上記第１部分の遅相軸は、上記第２の直線偏光板の偏光方向である第２偏光方向に対して、上記第１の１／４波長板の遅相軸の上記第１偏光方向に対する関係と同じ＋４５°または−４５°の関係を有しており、
上記第２部分の遅相軸の上記第２偏光方向に対する関係は、上記第１の１／４波長板の遅相軸の上記第１偏光方向に対する関係とは正負が逆の、−４５°または＋４５°である、照度センサ。
［付記２］
第１の受光部および第２の受光部と、
上記第１の受光部および上記第２の受光部にそれぞれ対応して配置された第１光学領域および第２光学領域と、
上記第１の受光部と上記第２の受光部の出力の差分をとる差分検出部と、を備え、
上記第１光学領域および上記第２光学領域は、上記第１の受光部および上記第２の受光部の双方に対応し、これら上記第１の受光部および上記第２の受光部から遠い順に配置された第１の直線偏光板、第１の１／４波長板、第２の１／４波長板、および第２の直線偏光板を含み、
上記第１および第２の直線偏光板のいずれか一方または双方の非有効機能帯域は赤外光帯域の少なくとも一部帯域を含んでおり、
上記第１の１／４波長板は、上記第１光学領域に属する第１部分と、上記第２光学領域に属する第２部分と、を有し、
上記第１部分の遅相軸は上記第１の直線偏光板の偏光方向である第１偏光方向に対して＋４５°または−４５°の関係を有しており、
上記第２部分の遅相軸の上記第１偏光方向に対する関係は、上記第１部分の遅相軸の上記第１偏光方向に対する関係とは正負が逆の、−４５°または＋４５°であり、
上記第２の１／４波長板の遅相軸は、上記第２の直線偏光板の偏光方向である第２偏光方向に対して、上記第１部分の遅相軸の上記第１偏光方向に対する関係と同じ＋４５°または−４５°の関係を有する、照度センサ。
［付記３］
上記第１の受光部および上記第２の受光部は、同一のＩＣに作り込まれている、付記１または２に記載の照度センサ。
［付記４］
上記第１の受光部および上記第２の受光部と上記第２の直線偏光板との間に介在するカラーフィルタ層を備える、付記１ないし３のいずれかに記載の照度センサ。
［付記５］
上記カラーフィルタ層は、上記第１の受光部に対応する第１フィルタ部、および上記第２の受光部に対応する第２フィルタ部を含み、
上記第１の受光部および上記第２の受光部は、それぞれ複数の受光素子を有し、
上記複数の受光素子は、第１の受光素子、第２の受光素子、および第３の受光素子を含み、
上記第１フィルタ部および上記第２フィルタ部は、上記第１の受光素子を覆い、青色光および緑色光を選択的に減衰させる第１赤色フィルタおよび第２赤色フィルタと、上記第２の受光素子を覆い、赤色光および青色光を選択的に減衰させる第１緑色フィルタおよび第２緑色フィルタと、上記第３の受光素子を覆い、赤色光および緑色光を選択的に減衰させる第１青色フィルタおよび第２青色フィルタと、を含む、付記４に記載の照度センサ。
［付記６］
上記第１光学領域および上記第２光学領域、上記カラーフィルタ層の上記第１フィルタ部および上記第２フィルタ部、ならびに上記第１の受光部および上記第２の受光部は、それぞれ、互いに直交する第１方向および第２方向において交互にマトリクス状に配置されており、
互いに隣接する上記第１フィルタ部および上記第２フィルタ部において、上記第１赤色フィルタ、上記第１緑色フィルタおよび上記第１青色フィルタと、上記第２赤色フィルタ、上記第２緑色フィルタおよび上記第２青色フィルタとは、それぞれ上記第１方向および上記第２方向の少なくともいずれか一方において隣り合うように配置される、付記５に記載の照度センサ。
［付記７］
複数ずつの上記第１フィルタ部および上記第２フィルタ部がマトリクス状に配置されたフィルタ配置領域において、すべての上記第１赤色フィルタおよび上記第２赤色フィルタ、すべての上記第１緑色フィルタおよび上記第２緑色フィルタ、ならびにすべての上記第１青色フィルタおよび上記第２青色フィルタは、それぞれ、上記フィルタ配置領域の中心点を対称の中心として点対称となるように配置されている、付記６に記載の照度センサ。
［付記８］
上記第１の受光部および上記第２の受光部は、それぞれ複数の受光素子を有し、
上記複数の受光素子は、可視光帯域に感度ピークを有する可視光用受光素子と、赤外光帯域に感度ピークを有する赤外光用受光素子と、を含む、付記１ないし３のいずれかに記載の照度センサ。
［付記９］
上記第１光学領域および上記第２光学領域、ならびに上記第１の受光部および上記第２の受光部は、それぞれ、互いに直交する第１方向および第２方向において交互にマトリクス状に配置されており、
互いに隣接する上記第１の受光部および上記第２の受光部において、上記第１の受光部に属する上記可視光用受光素子および上記赤外光用受光素子と、上記第２の受光部に属する上記可視光用受光素子および上記赤外光用受光素子とは、それぞれ上記第１方向および上記第２方向の少なくともいずれか一方において隣り合うように配置される、付記８に記載の照度センサ。
［付記１０］
すべての上記可視光用受光素子およびすべての上記赤外光用受光素子は、それぞれ、複数ずつの上記第１の受光部および上記第２の受光部がマトリクス状に配置された受光部配置領域の中心点を対称の中心として点対称となるように配置されている、付記９に記載の照度センサ。
［付記１１］
付記１ないし１０のいずれかに記載の照度センサを有する電子機器。
［付記１２］
付記１ないし５、８のいずれかに記載の照度センサを同一面内に複数配置した、二次元画像センサ。
［付記１３］
上記照度センサが複数行複数列に配置されている、付記１２に記載の二次元画像センサ。
［付記１４］
付記１ないし１０のいずれかに記載の照度センサと、上記第１の１／４波長板および上記第２の１／４波長板の間に配置され、表示面が上記第１の１／４波長板側を向くＯＬＥＤと、を含み、
上記第１の受光部および上記第２の受光部は、上記ＯＬＥＤの裏面側に上記ＯＬＥＤと平行な面内に配置されている、電子機器。
【符号の説明】
【０２１１】
Ａ１〜Ａ８      照度センサ
Ｂ１，Ｂ２      電子機器
１        受光部配置領域
１００    ＩＣ
１１      第１の受光部
１１１    第１の受光素子
１１２    第２の受光素子
１１３    第３の受光素子
１１６    可視光用受光素子
１１７    赤外光用受光素子
１１８    クリア用受光素子
１２      第２の受光部
１２１    第１の受光素子
１２２    第２の受光素子
１２３    第３の受光素子
１２６    可視光用受光素子
１２７    赤外光用受光素子
１２８    クリア用受光素子
１９      保護膜
２        フィルタ配置領域
２０      カラーフィルタ層
２０Ａ    第１フィルタ部
２０Ｂ    第２フィルタ部
２１ｒ    第１赤色フィルタ
２１ｇ    第１緑色フィルタ
２１ｂ    第１青色フィルタ
２２ｒ    第２赤色フィルタ
２２ｇ    第２緑色フィルタ
２２ｂ    第２青色フィルタ
２３      保護膜
３０      光学領域
３０Ａ    第１光学領域
３０Ｂ    第２光学領域
３１      第１の直線偏光板
３２      第１の１／４波長板
３２１    （第１の１／４波長板の）第１部分
３２２    （第１の１／４波長板の）第２部分
３３      第２の１／４波長板
３３１    （第２の１／４波長板の）第１部分
３３２    （第２の１／４波長板の）第２部分
３４      第２の直線偏光板
４０      ＯＬＥＤ
５０      光学窓
６０      差分検出部
７０      二次元画像センサ
Ｃ１      （受光部配置領域の）中心点
Ｃ２      （フィルタ配置領域の）中心点
ｘ        方向（第１方向）
ｙ        方向（第２方向）
ｚ        方向
【図１】
2020187108.tif 000003
【図２】
2020187108.tif 000004
【図３】
2020187108.tif 000005
【図４】
2020187108.tif 000006
【図５】
2020187108.tif 000007
【図６】
2020187108.tif 000008
【図７】
2020187108.tif 000009
【図８】
2020187108.tif 000010
【図９】
2020187108.tif 000011
【図１０】
2020187108.tif 000012
【図１１】
2020187108.tif 000013
【図１２】
2020187108.tif 000014
【図１３】
2020187108.tif 000015